(57)【特許請求の範囲】
【請求項１】
（イ）収容動物が横方向に逃げ出すのを防ぐ或いは収容動物が横方向と上方向に逃げ出すのを防ぐ囲い面で構成する下方を開口した動物収容囲い部を備える。
（ロ）動物定下部に収容動物を乗せる床或いは収容動物を乗せて屑類を収容するトレイ或いは収容動物を乗せて屑類を通過する床と屑類を収容するトレイを組み合わせた種類の台座を動物収容囲い部の内側或いは動物収容囲い部の下側に備えて収容動物が下方向に逃げ出すのを防ぐ。
（ハ）上記の種類の台座は動物足下部に引き出し式に２台以上横に並べてセットする形態であり、収容動物を乗せて屑類を通過する床に関しては持ち上げ式に２台以上横に並べてセットする形態と収容動物を乗せて屑類を通過する１台の床を持ち上げ式にセットする形態を含む。
（ニ）台座同士の並び方向の両端にある動物収容囲い部或いは該動物収容囲い部の近傍側から移動案内に従って台座の頭上を対面する囲い面に向かい平面視で横方向に動いて、或いは平面視した台座同士の境界線に並行する回転軸を収容動物の背丈を越える高さ位置に備えて該回転軸を支点に回転してその開放端部が収容動物の頭上高さ位置から台座面上に向かって動いて、或いは平面視した台座同士の境界線の方向に交叉する動物収容囲い部或いは該動物収容囲い部の近傍に鉛直方向の回転軸を備えて該回転軸を支点に回転してその開放端部が収容動物の側面位置から台座の頭上を該回転軸と対面する側の囲い面に向かって動いて、収容動物を所望の台座上に追い寄せて台座同士の境界線上或いは動物を追い寄せたい側の台座上位置で制動可能な動物追い寄せ板を備え、該動物追い寄せ板は動物収容囲い部を構成する囲い面の一部を利用し或いは動物収容囲い部に付加する仕切り板を用いる。
以上（イ）と（ロ）と（ハ）と（ニ）の構成により成るペット用ケージ。
【請求項２】
（イ）屑類が横方向に流出するのを防ぐ周壁と屑類が下方向に流出するのを防ぐ底板から成る上方に受け口を開口した形態の屑類受けトレイを横並びに複数台組み合わせて用いるトレイセットを備える。
（ロ）該トレイセットを構成するトレイはトレイ同士が隣り合う一方の側のトレイの周壁に断面形状がバルコニー状の張り出し或いは庇状の張り出しを備え、該バルコニー状の張り出し或いは該庇状の張り出しが平面視において隣り合わせて配置するもう一方の側のトレイの周壁の開口上縁端を隠す形態である。
（ハ）該トレイセットをペット用ケージの動物足下部に収納時は、該トレイセットを構成する一方のトレイに備えたバルコニー状の張り出し或いは該庇状の張り出しの先端が側面視で隣接配置する該トレイセットを構成するもう一方のトレイの周壁を超えて隣接トレイの開口部上に達するようにトレイ同士を動物足下部に並べて配置する。
以上（イ）と（ロ）と（ハ）の構成により成る動物足下部を備えたことを特徴とするペット用ケージ。
【発明の詳細な説明】
【技術分野】
【０００１】          本発明はウサギ、リス、鳥、爬虫類等のペット用ケージに関するものである。
【背景技術】
【０００２】          ペット用ケージの背景技術に関して、従来のペット用ケージの基本形態を図２１と図２２を用いて以下に説明する。【０００３】          ここで、本特許出願の以降の説明にあたり本特許出願で用いる用語の説明を行う。
「動物収容囲い部」の意味は、収容動物が横方向に逃げ出すのを防ぐ側面囲いと収容動物が上方向に逃げ出すのを防ぐ天井囲いで構成するものと天井囲いがなく収容動物が横方向に逃げ出すのを防ぐ側面囲い部のみで構成するものを「動物収容囲い部」と呼ぶ。
「台座」の意味は、収容動物を乗せる床（屑類を通過しない）・収容動物を乗せて屑類を収容するトレイ（屑類を通過しない）・収容動物を乗せて屑類を通過する床と屑類を収容するトレイ（屑類を通過しない）を組み合わせたもの３種類を総称して「台座」と呼ぶ。
「動物足下部」の意味は、収容動物の着地面と着地面より下側に位置するケージの構成部位と上記の「台座」を収納するケージの構成部位を「動物足下部」と呼ぶ。【０００４】          図２１は従来のペット用ケージの基本形態を示すためのペット用ケージ１の斜視図であるが、説明を容易にするため本発明の説明に直接必要ない構成部品の記載等を省略した要部の外形輪郭形状を示した簡略図である。
図２１に示すように収容した動物が横方向に逃げ出すのを防ぐ正面囲い２１と右囲い２２と背面囲い２４と左囲い２５と、動物が上方向に逃げ出すのを防ぐ天井囲い２３から成る４面の側面囲いと１面の天井囲いで構成して下方を開口した箱形の動物収容囲い部２を備え、収容動物の糞尿や抜け毛や餌の食べ残し屑等の屑類の収容と動物が下方向に逃げ出すのを防ぐ動物足下部３を備え、動物収容囲い部２を動物足下部３の上に乗せた形態のものがある。【０００５】          図２２は前記の図２１で示した動物足下部３の内部を説明するための動物足下部３の主要構成部材を示す斜視図であるが、説明を容易にするため本発明の説明に直接必要ない構成部品記載等を省略した要部の簡略図である。
動物足下部３は図２２に示すように、金属製ワイヤを格子状に組んだ金網製のものや穴を多数開けた樹脂製の平板や木製の根太に木製の床板を乗せたスノコを用いた床５を上方に受け口を開口したトレイ６の開口部の上側に配置する或いはトレイ６の内側に収納する形態にすることで、図２１に示した動物収容囲い部２に収容した動物が下方向に逃げ出すのを防ぎ糞尿や抜け毛や餌の食べ残し屑等の屑類を床下に通過させてトレイ内に溜めて、収容動物の体の汚れを防いで屑類をケージ外部に漏らさない工夫が成されている。【０００６】          ここで、従来のペット用ケージは動物足下部３の構造の相違で大別して２種類の方式があり、動物足下部３に引き出し式にトレイを収納するトレイ引き出し方式のペット用ケージと、トレイが図２１に示した動物収容囲い部２の支持台を兼ねるトレイ固定方式のペット用ケージが市販されており、それぞれの方式の背景技術を図２３から図２６を用いて以下に説明する。【０００７】          トレイ引き出し方式の背景技術として株式会社三晃商会の特許（特許文献１参照）を用いたトレイ引き出し方式のペット用ケージの一形態例を図２３と図２４を用いて以下に説明するが、説明を容易にするため本特許願に記載の図と構成部位の符号の呼称等はその要旨を逸脱しない範囲で参照用に示した先行技術特許文献と異なる記載がある。【０００８】          図２３はトレイ引き出し方式を説明するためのペット用ケージ１ａの主要構造を説明する斜視図であるが、説明を容易にするため本発明の説明に直接必要ない構成部品等の記載を省略した外形輪郭形状を示したノットスケールの簡略図である。
図２３に示すように、正面囲い２１ａと右囲い２２ａと背面囲い２４ａと左囲い２５ａと天井囲い２３ａから成る４面の側面囲いと１面の天井囲いで構成して下方を開口した箱形の動物収容囲い部２ａを備え、図２３中の矢印に示した前後方向に出し入れ可能な上方に受け口を開口して屑類を収容するトレイ６０を備え、トレイ６０を引き出し式に収納して動物収容囲い部２ａを乗せて支えるケージ支持台４とトレイ６０を乗せてトレイ６０の出し入れの案内となる底板４２と底板４３から成る動物足下部３ａを備えた形態としている。【０００９】          図２４は上記図２３に示したペット用ケージ１ａ中の動物の収容状態を説明するために図２３を正面視したＡ−Ａ部の断面図である。
図２４に示すように、金属製ワイヤを格子状に組んだ金網製のものや穴を多数開けた樹脂製の平板等を用いた収容動物を乗せて屑類を通過する床５ａと上方に受け口を開口して屑類を収容する引き出し式トレイ６０と、トレイ６０の開口上端縁を全周にわたり隠すように上面が内側向きに傾斜して先端が下向きに曲がった庇状の内鍔部４１を周壁の内面の高さ途中部に沿って備えたケージ支持台４と、底板４２と、底板４３で構成した動物足下部３ａを備え、ケージ支持台４が動物足下部３ａの筐体となり、底板４２と底板４３がトレイ６０とケージ支持台４の置き台となり、ケージ支持台４に備えた内鍔部４１が床５ａと動物収容囲い部２ａを乗せる支持台になると共に屑類がケージ支持台４とトレイ６０の隙間から外部に漏れるのを防止する形態となっていることが明らかであろう。【００１０】          以上の形態とすることで、ペット用ケージ１ａを用いた動物飼育は床５ａがケージ支持台４に備えた内鍔部４１で支えられてトレイ６０と接触していない状態で使用されるため、動物をケージに収容したままの状態でトレイ６０を引き出して取り外すことが可能でトレイ６０の清掃が効率的に行えるペット用ケージである。【００１１】          次に、トレイ固定方式の背景技術として本発明者が使用した経緯がある株式会社マルカン製の商品名「ラビットケージ７６０グリーン、品番ＭＲ−３１３」（非特許文献１参照）を代表例に用いてトレイ固定方式のペット用ケージの形態を図２５と図２６を用いて以下に説明する。【００１２】          図２５はトレイ固定方式を説明するためのペット用ケージ１ｂの主要構造を説明する斜視図であるが、説明を容易にするため本発明の説明に直接必要ない扉や尿スプレーガード板等の構成部品記載を省略した外形輪郭形状を示したノットスケールの簡略図である。
図２５に示すように、正面囲い２１ｂと右囲い２２ｂと背面囲い２４ｂと左囲い２５ｂと天井囲い２３ｂから成る４面の側面囲いと１面の天井囲いで構成して下方を開口した箱形の動物収容囲い部２ｂを備え、動物足下部３ｂに上方に受け口を開口して屑類を収容する樹脂製トレイ６１を備え、動物収容囲い部２ｂを樹脂製トレイ６１に乗せて図２５中の矢印で示した上下方向に動物収容囲い部２ｂを動かして脱着可能な形態としている。【００１３】          図２６は上記図２５に示したケージ中の動物の収容状態を説明するためにペット用ケージ１ｂを正面視したＢ−Ｂ部の断面図であるが、図２５が説明を容易にするため外形輪郭形状を示した簡略図であったのに対して、図２６はより詳細な説明を行うため図２５で記載を省略した部分を図２６に記載している箇所がある。【００１４】          図２６に示すように、動物足下部３ｂは正面視で３本の根太５１ｂを並べた奥行き方向に１７枚の床板５１ａを乗せた構造の収容動物を乗せて屑類を通過する木製右スノコ５１と、正面視で３本の根太５２ｂの奥行き方向に１７枚の床板５２ａを乗せた構造の収容動物を乗せて屑類を通過する木製左スノコ５２を、上方に受け口を開口して屑類を収容するトレイ６１の内側に納めて乗せる形態であり、動物収容囲い部２ｂを構成する右囲い２２ｂと左囲い２５ｂの下端部の断面は天地逆の凹形の断面形状になっており、左右の凹部の間隔は上方に受け口を開口したトレイ６１の開口上端縁の位置と合わせてあり、動物収容囲い部２ｂをトレイ６１に乗せると右囲い２２ｂと左囲い２５ｂに設けた凹部がトレイ６１の開口端部の周壁を抱え込むため、トレイ６１と動物収容囲い部２ｂの位置合わせが容易で動物収容囲い部２ｂとトレイ６１間の横方向のズレを防止できる形態であり、図２６中の矢印で示した上下方向に動物収容囲い部２ｂを動かして容易に脱着することができる。
尚、図２６では右囲い２２ｂと左囲い２５ｂに設けた凹部と囲い部が一体構造の断面図で示したが、実際の市販品は凹部が樹脂製で囲い部が金属製ワイヤを組んだ別体で構成している。【００１５】          ここで、市販されているケージは、動物収容囲い部２ｂとトレイ６１間の上下方向のズレによる動物収容囲い部２ｂの外れを防ぐため、動物収容囲い部２ｂとトレイ６１を繋止するクランプを右囲い２２ｂと左囲い２５ｂの外側に備えているが図２６では図示省略してある。【００１６】          以上の形態とすることで、トレイ固定方式のペット用ケージ１ｂは、先に図２３と図２４の説明で示したトレイ引き出し方式のペット用ケージ１ａと比較して引き出し式トレイ６０を収納するためのケージ支持台４と底板４２と底板４３を必要としないシンプルな構造であるためケージの製造コストを下げることができる利点があるが、使用面に於いては収容動物の糞尿や抜け毛や餌の食べ残し屑等の屑類が溜まったトレイ６１を清掃する時は動物収容囲い部２ｂを持ち上げてトレイ６１と動物収容囲い部２ｂを分離する必要があり、トレイの清掃に手間がかかるペット用ケージであることが明らかであろう。
【先行技術文献】
【特許文献】
【００１７】
【特許文献１】特開２００５−２９５９６０号  公報
【非特許文献】
【００１８】
【非特許文献１】
0005354307.tif 000002
【発明の概要】
【発明が解決しようとする課題】
【００１９】          従来のトレイ引き出し方式のペット用ケージでは動物を動物収容囲い部に入れたままの状態でトレイを取り外して効率的に清掃することができるが、その状態でトレイを清掃作業時中に動物が排便をしてしまうと便が動物足下部３ａを構成する底板４２と４３上や家屋の床上に落ちてしまい汚してしまう欠点があり、トレイに溜まった屑類を捨てるためトレイをケージから取り外すと静電気や移動時の風圧等により体毛等の極めて軽い屑類が空中に舞い上がり室内に拡散してしまう問題があった。
また、トレイを取り外しても動物飼育中は動物が常に床上に乗った状態であるため床の清掃を行う時は動物をケージから外に出す必要があり、床の清掃作業中は動物を一時収容用ケージ等に移動するか、動物を室内或いは庭やベランダ等に放しておく必要があり、一時収容用ケージ等を準備する費用の増加や放した動物の監視が必要になる等の手間がかかる欠点があった。
更に、床清掃を行うために動物を抱き上げて動物収容囲い部から出そうとすると、動物の性質によっては触れられるのを嫌い抵抗して人の手に噛みついて傷を付けたり、抱き上げられた動物が暴れて落下して怪我をしてしまうリスクを伴う欠点があった。【００２０】          また、従来のトレイ固定方式のペット用ケージではトレイ内に溜まった屑類の取り出しや床とトレイの清掃を行うには、動物収容囲い部を持ち上げてトレイと動物収容囲い部を分離させる作業が必要であり、この間は動物を一時収容用ケージ等に移動するか、動物を室内或いは庭やベランダ等に放しておく必要があり、一時収容用ケージ等を準備する費用の増加や放した動物の監視が必要になる等の手間がかかる欠点があった。
更に、動物を一時収容用ケージ等に移動するために動物を抱き上げようとすると、動物の性質によっては触れられるのを嫌い抵抗して人の手に噛みついて傷を付けたり、抱き上げられた動物が暴れて落下して怪我をしてしまうリスクを伴う欠点があった。【００２１】          本発明は、このような従来のペット用ケージが有していた課題を解決しようとするものであり、ケージに動物を収容したままの状態で、ケージを構成する動物足下部の内部や家屋の室内を汚さずに収容動物を乗せる床・収容動物を乗せて屑類を収容するトレイ・収容動物を乗せて屑類を通過する床と屑類を収容するトレイを組み合わせた種類の台座の清掃を効率的に行うことが可能なペット用ケージを実現することを目的とするものである。
【課題を解決するための手段】
【００２２】          そして、本発明は上記の目的を達成するために、第１の課題解決手段を以下に示す。【００２３】          第１の解決手段を以下に示すと、（イ）と（ロ）と（ハ）と（ニ）の構成によるペット用ケージである。
（イ）収容動物が横方向に逃げ出すのを防ぐ或いは収容動物が横方向と上方向に逃げ出すのを防ぐ囲い面で構成する下方を開口した動物収容囲い部を備える。
（ロ）動物足下部に収容動物を乗せる床或いは収容動物を乗せて屑類を収容するトレイ或いは収容動物を乗せて屑類を通過する床と屑類を収容するトレイを組み合わせた種類の台座を動物収容囲い部の内側或いは動物収容囲い部の下側に備えて収容動物が下方向に逃げ出すのを防ぐ。
（ハ）上記の種類の台座は動物足下部に引き出し式に２台以上横に並べてセットする形態であり、収容動物を乗せて屑類を通過する床に関しては持ち上げ式に２台以上横に並べてセットする形態と収容動物を乗せて屑類を通過する１台の床を持ち上げ式にセットする形態を含む。
（ニ）台座同士の並び方向の両端にある動物収容囲い部或いは該動物収容囲い部の近傍側から移動案内に従って台座の頭上を対面する囲い面に向かい平面視で横方向に動いて、或いは平面視した台座同士の境界線に並行する回転軸を収容動物の背丈を越える高さ位置に備えて該回転軸を支点に回転してその開放端部が収容動物の頭上高さ位置から台座面上に向かって動いて、或いは平面視した台座同士の境界線の方向に交叉する動物収容囲い部或いは該動物収容囲い部の近傍に鉛直方向の回転軸を備えて該回転軸を支点に回転してその開放端部が収容動物の側面位置から台座の頭上を該回転軸と対面する側の囲い面に向かって動いて、収容動物を所望の台座上に追い寄せて台座同士の境界線上或いは動物を追い寄せたい側の台座上位置で制動可能な動物追い寄せ板を備え、該動物追い寄せ板は動物収容囲い部を構成する囲い面の一部を利用し或いは動物収容囲い部に付加する仕切り板を用いる。【００２４】          ここで、図１と図２を用いて上記第１の解決手段の基本構成とその作用を説明すると、以下に示す通りである。
尚、図１と図２を用いた説明で同一の機能を有する部材には原則として同一の符号を付している。【００２５】          図１はペット用ケージに収容した動物を動物追い寄せ板を用いて所望の台座上に追い寄せる手段とその作用を説明するための第１の基本構成と第２の基本構成を示す説明図であるが、説明を容易にするため正面囲いを透過図にして必要な構成部品のみを記載したペット用ケージ１ａｂの正面視図である。【００２６】          図１に示すように右囲い２２ｃと背面囲い２４ｃと天井囲い２３ｃと左囲い２５ｃと正面囲い（透過図のため図示せず）から成る下方を開口した箱形の動物収容囲い部２ｃを備え、動物足下部３ｃに収容動物を乗せて屑類を通過する右床５１０と屑類を収容する右トレイ６１０から成る右台座と収容動物を乗せて屑類を通過する左床５２０と屑類を収容する左トレイ６２０から成る左台座を横並びに備え、左右の台座は個々に引き出し式に脱着可能として、台座を構成する右床５１０と左床５２０は動物収容囲い部２ｃより僅かに小さい平面外形にして個々に持ち上げ式に脱着可能としてもよく、台座を構成する床は動物収容囲い部２ｃより僅かに小さい平面外形で持ち上げ式に脱着可能な収容動物を乗せて屑類を通過する１台の床（図示せず）であってもよいが、この場合は右トレイ６１０側を右台座と呼び左トレイ６２０側を左台座と呼ぶ。
そして本発明の特徴である可動式の動物追い寄せ板７を備えて、以下に示す動物追い寄せ板７の動作により収容動物を所望の台座上に追い寄せる手段を用いる。【００２７】          尚、図１は動物追い寄せ板７を左右の台座の境界線の真上の位置に実線で記載しているが、左囲い２２ｃと右囲い２５ｃと天井囲い２３ｃの近傍に記載した２点鎖線を用いて示した４箇所の長方形輪郭図形は動物追い寄せ板７が収容動物の追い寄せ動作を開始時の状態例を示すものであり、図１に実線記載した動物追い寄せ板７は動物を所望の台座上に追い寄せ完了している状態を示している。【００２８】          以下、図１を用いて動物追い寄せ板７を用いて動物を所望の台座上に追い寄せる第１の基本構成を用いた作用の説明を行う。【００２９】          図１中に示した左台座を清掃するためにケージから取り外したい時は、動物追い寄せ板７を左囲い２５ｃに隣接するように置いた状態から、図１中の左向き実線矢印方向に示した右囲い２２ｃに向かい左台座の頭上を左横方向に動物追い寄せ板７を動かして収容動物を右台座上に追い寄せる手段を用いて、頭上に動物がいない左台座を引き出して取り外す。
上記と逆に、右台座を清掃するためにケージから取り外したい時は動物追い寄せ板７を右囲い２２ｃに隣接するように置いた状態から、図１中の右向き破線矢印方向に示した左囲い２５ｃに向かい右台座の頭上を右横方向に動物追い寄せ板７を動かして収容動物を左台座上に追い寄せる手段を用いて、頭上に動物がいない右台座を引き出して取り外す。【００３０】          以下、図１を用いて動物追い寄せ板７を用いて動物を所望の台座上に追い寄せる第２の基本構成を用いたその作用の説明を行う。【００３１】          図１中に示した左台座を清掃するためにケージから取り外したい時は収容動物の背丈を越える高さ位置に図１中に記載の丸印で示した回転軸を備えた動物追い寄せ板７の開放端部が収容動物の頭上に左台座上を覆うように置いた状態から、該回転軸を支点にして動物追い寄せ板７が図１中に示した右回り実線矢印方向に回転して開放端部が台座同士の境界線上に向かって弧を描くように動かして収容動物を右台座上に追い寄せる手段を用いて、頭上に動物がいない左台座を引き出して取り外す。
上記と逆に、右台座を清掃するためにケージから取り外したい時は収容動物の背丈を越える高さ位置に図１中に記載の丸印で示した回転軸を備えた動物追い寄せ板７の開放端部が収容動物の頭上に右台座上を覆うように置いた状態から、該回転軸を支点にして動物追い寄せ板７が図１中に示した左回り破線矢印方向に回転して開放端部が台座同士の境界線上に向かって弧を描くように動かして収容動物を左台座上に追い寄せる手段を用いて、頭上に動物がいない右台座を引き出して取り外す。【００３２】          図２は上記の図１の正面図を用いて説明するのが困難な上記第１の解決手段の基本構成とその作用を説明するための第３の基本構成を示す説明図であるが、天井囲いを透過図にして必要な構成部品のみを記載したペット用ケージ１ｃ０の平面視図である。【００３３】          図２に示すように右囲い２２ｃと背面囲い２４ｃと左囲い２５ｃと正面囲い２１ｃと天井囲い（透過図のため図示せず）から成る下方を開口した箱形の動物収容囲い部２ｃを備え、動物収容囲い部２ｃの下に収容動物を乗せて屑類を通過する右床５１０と屑類を収容する右トレイ６１０（右床５１０の下に隠れ図示せず）から成る右台座と収容動物を乗せて屑類を通過する左床５２０と屑類を収容する左トレイ６２０（左床５２０の下に隠れ図示せず）から成る左台座を横並びに備え、右台座は図２中に示した下向き破線矢印方向に引き出し可能で、左台座は図２中に示した下向き実線矢印方向に引き出し可能とするが、台座を構成する右床５１０と左床５２０は動物収容囲い部２ｃより僅かに小さい平面外形にして個々に持ち上げ式に脱着可能としてもよく、台座を構成する床は動物収容囲い部２ｃより僅かに小さい平面外形で持ち上げ式に脱着可能な収容動物を乗せて屑類を通過する１台の床であってもよいが、この場合は右トレイ６１０側を右台座と呼び左トレイ６２０側を左台座と呼ぶ。
そして本発明の特徴である可動式の動物追い寄せ板７を備えて、以下に示す動物追い寄せ板７の動作により収容動物を所望の台座上に追い寄せる手段を用いる。【００３４】          尚、図２は動物追い寄せ板７を左右の台座の境界線の真上の位置に実線で記載しているが、正面囲い２１ｃの近傍に２点鎖線を用いて示した２箇所の長方形輪郭図形は動物追い寄せ板７が収容動物の追い寄せ動作を開始時の状態例を示すものであり、図２に実線記載の動物追い寄せ板７は動物を所望の台座上に追い寄せている状態を示している。【００３５】          以下、図２を用いて動物追い寄せ板７を用いて動物を所望の台座上に追い寄せる第３の基本構成を用いた作用の説明を行う。【００３６】          図２中に示した左台座を清掃するためにケージから取り外したい時は、左右の台座同士の境界線と交叉する正面囲い２１ｃ内側近傍に記載の丸印で示した鉛直線の回転軸を備えた動物追い寄せ板７の開放端部が収容動物の右側に位置するように置いた状態から、該回転軸を支点にして動物追い寄せ板７が図２中に示した左回り実線矢印方向に回転して開放端部が背面囲い２４ｃに向かい左台座の頭上を弧を描いて台座同士の境界線上位置まで動かして収容動物を右台座上に追い寄せる手段を用いて、頭上に動物がいない左台座を図２中に示した下向き実線矢印方向に引き出して取り外す。
上記と逆に、右台座を清掃するためにケージから取り外したい時は、左右の台座同士の境界線と交叉する正面囲い２１ｃ内側近傍に記載の丸印で示した鉛直線の回転軸を備えた動物追い寄せ板７の開放端部が収容動物の左側に位置するように置いた状態から、該回転軸を支点にして動物追い寄せ板７が図２中に示した右回り破線矢印方向に回転して開放端部が背面囲い２４ｃに向かい右台座の頭上を弧を描いて台座同士の境界線上位置まで動かして収容動物を左台座上に追い寄せる手段を用いて、頭上に動物がいない右台座を図２中に示した下向き破線矢印方向に引き出して取り外す。【００３７】          以上、図１と図２を用いて課題を解決するための第１の解決手段を示したが、実際のペット用ケージでは動物追い寄せ板７は動物収容囲い部を構成する囲い面の一部を利用し或いは動物収容囲い部２ｃに付加する仕切り板を用いる。
また、実際のペット用ケージでは動物足下部３ｃに備える台座は飼育動物の種類見合いで、収容動物を乗せる床（屑類を通過しない）・収容動物を乗せて屑類を収容するトレイ（屑類を通過しない）・前記の図１と図２の説明で示した収容動物を乗せて屑類を通過する床と屑類を収容するトレイを組み合わせたものの３種類の台座から実際の動物飼育に適した台座を選択して使用することができ、ケージに動物を収容したままの状態で、ケージの動物足下部の内部や家屋の室内を汚さずに台座の清掃を効率的に行うことが可能なペット用ケージを実現することが可能である。
尚、図１と図２で示した左右の台座は左右方向の引き出し式にしてもよく、図２で示した動物追い寄せ板７を支える回転軸は背面囲い２４ｃ側に備えてもよいことは明らかであろう。【００３８】          以上で従来のペット用ケージの課題を解決するための第１の解決手段を示したが、図１と図２を用いて示した動物足下部に台座を２台以上横に並べて備える形態のペット用ケージでは、トレイ同士を並べた隙間から液体状屑や小さな屑が流出するリスクが発生するため、これを解決する第２の解決手段を以下に説明する。【００３９】          第２の解決手段を示すと、以下の構成により成る動物足下部を備えたことを特徴とするペット用ケージである。
（イ）屑類が横方向に流出するのを防ぐ周壁と屑類が下方向に流出するのを防ぐ底板から成る上方に受け口を開口した形態の屑類受けトレイを横並びに複数台組み合わせて用いるトレイセットを備える。
（ロ）該トレイセットを構成するトレイはトレイ同士が隣り合う一方の側のトレイの周壁に断面形状がバルコニー状の張り出し或いは庇状の張り出しを備え、該バルコニー状の張り出し或いは該庇状の張り出しが平面視において隣り合わせて配置するもう一方の側のトレイの周壁の開口上縁端を隠す形態である。
（ハ）該トレイセットをペット用ケージの動物足下部に収納時は、該トレイセットを構成する一方のトレイに備えたバルコニー状の張り出し或いは該庇状の張り出しの先端が側面視で隣接配置する該トレイセットを構成するもう一方のトレイの周壁を超えて隣接トレイの開口部上に達するようにトレイ同士を動物足下部に並べて配置する。【００４０】          以下、図３と図４を用いて第２の解決手段の第１の基本構成と第２の基本構成を成すトレイセットを説明する。【００４１】          図３は第２の解決手段の第１の基本構成とその作用を示すトレイセット６０ａを正面視した要部の断面図である。
図３に示すように、トレイセット６０ａは右トレイ６１２と左トレイ６２２で構成して、左トレイ６２２は右トレイ６１２と隣り合うトレイの周壁に屑類受け用に上方を開口するバルコニー状の張り出しを備える周壁９１０を備え、隣り合う右トレイ６１２には左トレイ６２２のバルコニー状の張り出しの下に潜るようにバルコニー状の張り出しの下に潜る高さの周壁９００を備える。
ここで、図３では右トレイ６１２と左トレイ６２２の高さを合わせるために、右トレイ６１２の周壁９００を他の周壁の高さより低い段差のある構造で図示したが、右トレイ６１２の他の周壁高さを低くして周壁９００の高さと同じにして段差のない構造にしても機能的な問題はない。
また、図３では右トレイ６１２と左トレイ６２２の高さを合わせた構造で図示しているが、右トレイ６１２の周壁９００を他の周壁の高さと同じ高さにして段差のない構造にして、左トレイ６２２の底を持ち上げるスペーサーをペット用ケージの動物足下部に置いて左トレイ６２２の周壁９００に備えたバルコニー状の張り出しが右トレイ６１２の周壁に当たらないようにしても機能的な問題はない。【００４２】          尚、図３ではバルコニー状の張り出しがトレイ本体部と一体で作られている断面図としているが、バルコニー状の張り出し部をトレイ本体部と別体で作り、トレイの周壁に勘合式や接着式等で取り付けてもよい（図示せず）。
また、バルコニー状の張り出し部の裏面側に表面張力で伝わる液体状屑を止めて右トレイ６１２の開口部上に滴下させるための溝或いは突起を設けるとよい（図示せず）。【００４３】          また、図３は２台のトレイで構成したトレイセットを示しているが、隣接するトレイ同士がバルコニー状の張り出しとバルコニー状の張り出しの下に潜る高さの周壁を組み合わせた形態を連ねることで３台以上のトレイを組み合わせたトレイセットにも適用できる。
尚、上記に示した形態のトレイセットを用いた本特許願で記載の台座同士の境界線の意味は、上記に示した形態のトレイセットのバルコニー状の張り出しの開口部が隣接するトレイの開口部上に重なる領域を示す。【００４４】          図４は第２の解決手段の第２の基本構成とその作用を示すトレイセット６０ｂを正面視した要部の断面図である。
図４に示すように、トレイセット６０ｂは右トレイ６１３と中央トレイ６３０と左トレイ６２３の３台のトレイで構成する。【００４５】          中央トレイ６３０に隣り合う右トレイ６１３の周壁に庇状の張り出しを設けた周壁９２０を備え、中央トレイ６３０に隣り合う左トレイ６２３の周壁に庇状の張り出しを設けた周壁９２１を備え、中央トレイ６３０は右トレイ６１３の庇状の張り出しと左トレイ６２３の庇状の張り出しの下に潜る高さの周壁９０１を備える。
ここで、図４では右トレイ６１３と中央トレイ６３０と左トレイ６２３の高さを合わせるために、中央トレイ６３０の周壁９０１を他の周壁の高さより低い段差のある構造で図示したが、中央トレイ６３０の他の周壁高さを低くして周壁９０１の高さと同じ高さの段差のない構造にしても機能的な問題はない。
また、図４では右トレイ６１３と中央トレイ６３０と左トレイ６２３の高さを合わせるために、中央トレイ６３０の周壁９０１を他の周壁の高さより低い段差のある構造で図示したが、中央トレイ６３０の他の周壁高さを低くして周壁９０１の高さと同じにして段差のない構造にしても機能的な問題はない。
また、図４では右トレイ６１３と中央トレイ６３０と左トレイ６２３の高さを合わせた構造で図示しているが、中央トレイ６３０の周壁９０１を他の周壁の高さと同じ高さにして段差のない構造にして、右トレイ６１３と左トレイ６２３の底を持ち上げるスペーサーをペット用ケージの動物足下部に置いて右トレイ６１３の周壁９２０に備えた庇状の張り出しと左トレイ６２３の周壁９２１に備えた庇状の張り出しが中央トレイ６３０の周壁に当たらないようにしても機能的な問題はない。【００４６】          尚、図４では庇状の張り出しがトレイ本体部と一体で作られている断面図としているが、庇状の張り出し部をトレイ本体部と別体で作り、トレイの周壁に勘合式や接着式等で取り付けてもよい（図示せず）。
また、図４に示した庇状の張り出しは横方向に水平に突出した平板状としているが、庇状の張り出しの先端が隣接トレイの開口部上に張り出していれば必ずしも水平の平板状である必要はなく、液体状屑をトレイの開口部に流れやすくするように例えば片流れ屋根形状のトレイの開口部側向きに下がる傾斜をつけてもよく（図示せず）、庇状の張り出しの表面側にトレイの開口部側向きに下がる傾斜をつけた液流し用の溝を設けてもよく（図示せず）、図４で示した庇状の張り出しの裏面側に表面張力で伝わる液体状屑を止めて中央トレイ６３０の開口部内に滴下させるための溝或いは突起を設けるとよい（図示せず）。【００４７】          また、図４は３台のトレイで構成したトレイセットを示しているが、隣接するトレイ同士が庇状の張り出しと庇状の張り出しの下に潜る高さの周壁を組み合わせた形態を連ねることで２台以上のトレイを組み合わせたトレイセットに適用できる。
尚、上記に示した形態のトレイセットを用いた本特許願で記載の台座同士（トレイ同士）の境界線の意味は、上記に示した形態のトレイセットの庇状の張り出しが隣接するトレイの開口部上に重なる領域を示す。【００４８】          以上、図３と図４を用いて示した第２の解決手段によれば、トレイセットを構成する一方のトレイの周壁に備えたバルコニー状の張り出し或いは庇状の張り出しが隣接するもう一方のトレイの開口部上に重なり、屑類が下方に通過するトレイ同士の周壁の鉛直方向の隙間が遮蔽されるため、収容動物の糞尿や抜け毛や餌の食べ残し等の小さな屑類がトレイ同士を並べた周壁の鉛直方向の隙間から落ちてしまい家屋の床上やケージ支持台の内部を汚してしまうのを防ぐことが可能となる。
【発明の効果】
【００４９】          前記で示した課題を解決するための第１の解決手段を示した本発明によれば、一時収納用ケージ等の準備やケージの外に放した動物の監視が不要であり、ケージに動物を収容したままの状態で台座の清掃を効率的に行うことが可能で、万一台座を取り外している間に動物が排便してしまっても、ケージ支持台の内部や家屋の床上に落ちてしまいケージ支持台の内部や家屋の床を汚してしまう欠点がないペット用ケージを提供することができる。【００５０】          前記で示した課題を解決するための第１の解決手段を示した本発明によれば、収容動物を所望の台座上に追い寄せている間に、動物が着地していない側の台座に霧吹きスプレーを用いて動物の体を濡らさずに霧を吹き付けることが可能で、静電気や台座の持ち運び時の風圧による体毛等の極めて軽い屑類の舞い上がりを吹き付けた水膜で止めることができるので、トレイの取り外し時に極めて軽い屑類が空中に舞い上がり家屋の室内に拡散する問題を低減可能なペット用ケージを提供することができる。【００５１】          前記で示した課題を解決するための第１の解決手段を示した本発明によれば、床清掃を行うために動物をケージから出そうとして抱き上げると、動物の性質によっては人の手に噛みついて傷を付けたり抱き上げられた動物が暴れて落下して怪我をしてしまうリスクをなくしたペット用ケージを提供することができる。【００５２】          前記で示した課題を解決するための第２の解決手段を示した本発明によれば、動物足下部に２台以上のトレイを横に並べて備えてもトレイ同士を並べた隙間から液体状屑や小さな屑が流出するリスクがないペット用ケージを提供することができる。【００５３】          前記で示した課題を解決するための第２の解決手段を示した本発明によれば、隣接するトレイ同士の周壁の鉛直方向の隙間間隔を大きく取れるため、例えば樹脂製のケージ支持台にトレイを左右に並べて引き出し式に収納するような動物足下部を備えたケージに使用する場合、隣接トレイ同士の周壁の鉛直方向の隙間部にケージ支持台の正面側から背面側に架かる断面がＩ字形・Ｈ字形・Ｔ字形・Ｕ字形等の形状の梁を通してケージ支持台の機械的強度を上げられるためケージ支持台全体に使用する樹脂量を減らすことができ、大形のペット用ケージを低コストで提供することができる。
【図面の簡単な説明】
【００５４】
【図１】本発明の課題の第１の解決手段を説明するペット用ケージの正面図である。
【図２】本発明の課題の第１の解決手段を説明するペット用ケージの平面図である。
【図３】本発明の課題の第２の解決手段を説明するトレイセットの断面図である。
【図４】本発明の課題の第２の解決手段を説明するトレイセットの断面図である。
【図５】本発明のペット用ケージの第１の実施形態例を示す斜視図である。
【図６】本発明のペット用ケージの第２の実施形態例を示す斜視図である。
【図７】本発明のペット用ケージの第３の実施形態例を示す斜視図である。
【図８】本発明のペット用ケージの第４の実施形態例を示す斜視図である。
【図９】本発明のペット用ケージの第５の実施形態例を示す斜視図である。
【図１０】本発明のペット用ケージの第６の実施形態例を示す斜視図である。
【図１１】本発明のペット用ケージの第７の実施形態例を示す斜視図である。
【図１２】図１１の要部の形態を示す断面図である。
【図１３】図１１の要部の形態を示す断面図である。
【図１４】図１１の要部の形態を示す断面図である。
【図１５】本発明のトレイセットの一実施形態例を示す斜視図である。
【図１６】本発明の動物追い寄せ板案内の第１の実施形態例を示す斜視図である。
【図１７】本発明の動物追い寄せ板案内の第２の実形態例を示す斜視図である。
【図１８】図１７の要部の形態の概要を示す斜視図である。
【図１９】図１７の要部の形態の概要を示す断面図である。
【図２０】本発明の動物追い寄せ板の制動方法の一実施形態例を示す斜視図である。
【図２１】従来のペット用ケージの形態の概要を示す斜視図である。
【図２２】図２１の動物足下部内部の形態の概要を示す斜視図である。
【図２３】従来のトレイ引き出し方式のペット用ケージの形態例を示す斜視図である。
【図２４】図２３の要部の形態の概要を示す断面図である。
【図２５】従来のトレイ固定方式のペット用ケージの形態例を示す斜視図である。
【図２６】図２５の要部の形態の概要を示す断面図である。
【発明を実施するための形態】
【００５５】          以下、図５から図２０を用いて本発明の課題を解決するためのペット用ケージの形態例を示すが、同一の機能を有する部材には原則として同一の符号を付し、その繰り返しの説明は原則としてその説明を繰り返さない。
【００５６】          前記に示した従来のペット用ケージの課題を解決するため、前記の第１の解決手段と第２の解決手段を用いたペット用ケージの実施形態の７例を図５から図１４を用いて以下に示すが、図５から図１０を用いて示す６例のペット用ケージの動物足下部３０は共通である。
【００５７】          ここで、図５から図１０は説明を容易にするため本発明の説明に直接必要ない構成部品記載等を省略した外形輪郭形状を示したノットスケールの簡略図を用いてペット用ケージの実施形態の説明を行い必要に応じて外形輪郭透過図を併用するが、実用的には動物収容囲い部はケージの中を観察でき良好な換気ができるように例えば金属製ワイヤを格子状に組んだ金網や穴を多数開けた金属製板や透明樹脂板等を使用し、或いは金属製ワイヤを格子状に組んだ金網や穴を多数開けた金属製板等と透明樹脂板や金属板を組み合わせた囲いを用いて、動物収容囲い部には給餌や動物や動物用遊具類の出し入れを容易にするために例えば開き戸方式や引き戸方式の扉を備え、天井囲いは取り外し可能な形態として、動物足下部から動物収容囲い部がずれて外れないように繋止用のクランプ等を備えることが好ましい。
【００５８】          図５は前記に示した従来のペット用ケージの課題を解決するため、収容動物が側面囲いを乗り越えて逃げ出す可能性がない動物飼育に適した本発明の第１の実施形態例を示すペット用ケージ１０ａの斜視図であるが、説明を容易にするため正面囲い２ａ１を２点鎖線の想像線を用いた透過図で示し天井囲いを記載していない。
図５に示すように、正面囲い２ａ１と図５中に示した左右の矢印方向に移動可能な右囲い２ａ２と背面囲い２ａ４と図５中に示した左右の矢印方向に移動可能な左囲い２ａ５と天井囲い（図示せず）から成る４面の側面囲いと１面の天井囲いで構成して下方を開口した箱形の動物収容囲い部２０ａを備える形態とする。
【００５９】          ここで、右囲い２ａ２と左囲い２ａ５の移動案内は例えば後述の図１６を用いて詳細を説明する動物追い寄せ板案内１００の形態を使用することができる。
右囲い２ａ２と左囲い２ａ５の移動時は他の囲い面部と動物の着地面部に収容動物が通過できない隙間間隔を保つ必要があるが、右囲い２ａ２と左囲い２ａ５の全面を移動可能な形態としなくともよい。
【００６０】          そして、屑類を収容する右トレイ６ａ１の上に金属製ワイヤを格子状に組んだ収容動物を乗せて屑類を通過する金網製の右床５ａ１を乗せた右台座５３０と屑類を収容する左トレイ６ａ２の上に金属製ワイヤを格子状に組んだ収容動物を乗せて屑類を通過する金網製の左床５ａ２を乗せた左台座５４０を備え、底板と鉛直壁状の４面の周壁で構成する上方を開口した箱形の形状でケージの正面側とする４周壁中の一面に右台座５３０と左台座５４０を底板上に乗せて図５中の矢印で示した前後方向に引き出し式に収納する台座の収納口を設けた成形樹脂製のケージ支持台４０ａを備えて、動物足下部３０を構成する。
ここで、右トレイ６ａ１と左トレイ６ａ２は後述の図１５を用いて詳細を説明するトレイセット６０ｃを用いるため、ここでは説明を賂する。
【００６１】          以上の形態とすることで、普段の動物飼育時は右囲い２ａ２と左囲い２ａ５はペット用ケージ１０ａを正面視した左右端部位置に置き、ケージの清掃時は右囲い２ａ２或いは左囲い２ａ５を動物追い寄せ板に利用して対向する動物収容囲い側に移動させることでペット用ケージ１０ａに飼育中の動物を左台座５４０上或いは右台座５３０上に追い寄ることができ、その間に動物が頭上にいない側の台座をケージ支持台４０ａから取り外して効率的に清掃を行うことができる。
【００６２】          図６は前記に示した従来のペット用ケージの課題を解決するため、動物収容囲い部を構成する２面以上の囲い面間に橋架して止まり木や遊具を取り付ける動物飼育に適した本発明の第２の実施形態例を示すペット用ケージ１０ｂの斜視図である。
図６に示すように、前記図５で説明した動物足下部３０を備え、右正面囲い２１０と右囲い２ｂ２と右天井囲い２３０と右背面囲い２４０とから成る３面の側面囲いと１面の天井囲いで構成して下方と左囲い２０１側を開口した図６中に示した左右の矢印方向に移動可能な右動物収容囲い部２００を備え、内側に右動物収容囲い部２００を納める大きさの左正面囲い２１１と左天井囲い２３１と左背面囲い２４１と左囲い２ｂ５とから成る３面の側面囲いと１面の天井囲いで構成して下方と右囲い２００側を開口した形態の図６中に示した左右の矢印方向に移動可能な左動物収容囲い部２０１を備える形態とする。
【００６３】          ここで、右動物収容囲い部２００と左動物収容囲い部２０１の移動案内は例えば後述の図１７から図１９を用いて詳細を説明する動物追い寄せ板案内１１０の形態を使用することができる。
【００６４】          そして、右動物収容囲い部２００と左動物収容囲い部２０１がすれ違う隙間間隔は収容動物が通過できない間隔を保ち、右動物収容囲い部２００と左動物収容囲い部２０１と動物の着地面部がすれ違う隙間間隔も収容動物が通過できない間隔を保ち、ペット用ケージ１０ｂの実使用時は止まり木（図示せず）や遊具（図示せず）等を右動物収容囲い部２００側に取り付ける。
【００６５】          以上の形態とすることで、右動物収容囲い部２００或いは左動物収容囲い部２０１を動物追い寄せ板に利用して対向する動物収容囲い側に移動させることでペット用ケージ１０ｂに飼育中の動物を左台座５４０上或いは右台座５３０上に追い寄せることができ、その間に動物がいない側の台座をケージ支持台４０ａから取り外して効率的に清掃を行うことができ、清掃作業のために右動物収容囲い部２００に取り付けた止まり木（図示せず）や遊具（図示せず）等を取り外す必要もない。
【００６６】          図７は前記に示した従来のペット用ケージの課題を解決するため、収容動物を所望の台座上に一時的に呼び寄せることが容易な動物飼育に適した本発明の第３の実施形態例を示すペット用ケージ１０ｃの斜視図であるが、説明を容易にするため正面囲い２ｃ１と左囲い２ｃ５を２点鎖線の想像線を用いた透過図で示している。
図７に示すように、前記図５で説明した動物足下部３０を備え、正面囲い２ｃ１と右囲い２ｃ２と背面囲い２ｃ４と左囲い２ｃ５と天井囲い２ｃ３から成る４面の側面囲いと１面の天井囲いで構成して下方を開口した箱形の動物収容囲い部２０ｃを備え、天井囲い２ｃ３はペット用ケージ１０ｃを平面視した台座５３０と台座５４０を並べた境界線の真上に台座同士の境界線に並行する図７中の２箇所の前後向きの破線矢印で示した回転軸を備え、該回転軸を支えにして天井囲い２ｃ３の左半面と右半面が回転して動物収容囲い部２０ｃの内側に押し込み可能な形態とする。
【００６７】          そして、天井囲い２ｃ３の左半面と右半面の回転動作の制動を行うため、左開放端部或いは右開放端部が台座面上に向かって弧を描いて動き天井囲い２ｃ３の左開放端部或いは右開放端部が台座５３０と台座５４０を並べた境界線の真上に達した位置で回転動作を制動するために、例えば後述の図２０を用いて詳細を説明する動物収容囲い部２０ｃの形態を使用することができる。
【００６８】          ここで、図７は回転軸を支えにしてペット用ケージ１０ｃを正面視で天井囲い２ｃ３の右半面を回転動作する様子を示し、図７中の矢印は回転動作の方向を示すものであるが、回転動作時の天井囲い２ｃ３は正面囲い２ｃ１と背面囲い２ｃ４間に収容動物が通過できない隙間間隔を保つ寸法として、天井囲い２ｃ３の開放端部が垂直角度に下がった時に動物の着地面部間に収容動物が通過できない隙間間隔を保つ寸法とするが、天井囲い２ｃ３の左半面と右半面の全面を回転可能な形態としなくともよい。
但し、動物足下部３０に２台の台座を備えるペット用ケージ１０ｃの動物収容囲い部２０ｃの幅と高さ寸法の比率（＝幅÷高さ）は天井囲い２ｃ３の開放端部を可能な限り左右の囲いに近付けた方が収容動物を所望の台座上に追い寄せ易いので概ね２か２以下とするとよい。
【００６９】          以上の形態とすることで、収容動物を片方の台座上に呼び寄せている間合いを見計らって反対側台座上の天井囲い２ｃ３の開放端部を押し下げて台座５３０と台座５４０を並べた境界線上に達した角度位置で天井囲い２ｃ３の回転動作を制動することでペット用ケージ１０ｃに飼育中の動物を右台座５３０上或いは左台座５４０上に追い寄せることができ、その間に動物がいない側の台座をケージ支持台４０ａから取り外して効率的に清掃を行うことができる。
【００７０】          尚、天井囲い２ｃ３の左右の開放端部は後述の図１２と図１３を用いて詳細を説明する動物追い寄せ用脱着式仕切り板２９のように長さ伸縮式の形態とすることで回転動作中に動物の着地面部との隙間を調整できるので、収容動物を所望の台座上に一時的に呼び寄せることが困難な動物飼育にも適したペット用ケージにすることができ、動物収容囲い部２０ｃの幅と高さ寸法の比率の制約も緩和される。
また、天井囲い２ｃ３の左右の開放端部が上方側にも弧を描いて動く回転軸を用いれば天井囲い２ｃ３を左右２枚分割の天井扉としても使用できることが明らかであろう。
【００７１】          図８は前記に示した従来のペット用ケージの課題を解決するため、収容動物を所望の台座上に一時的に呼び寄せることが容易な動物飼育に適した本発明の第４の実施形態例を示すペット用ケージ１０ｄの斜視図であるが、説明を容易にするため天井囲いを記載していない。
【００７２】          図８に示すように、前記図５で説明した動物足下部３０を備え、正面囲い２ｄ１と右囲い２ｄ２と背面囲い２ｄ４と左囲い２ｄ５と天井囲い（図示せず）から成る４面の側面囲いと１面の天井囲いで構成して下方を開口した箱形の動物収容囲い部２０ｄを備え、正面囲い２ｄ１に右台座５３０と左台座５４０を並べた境界線と交叉する図８中の２箇所の上下向きの破線矢印で示した鉛直線方向の回転軸を備えて、該回転軸を支えにして正面囲い２ｄ１の左半面と右半面が回転して動物収容囲い部２０ｄの内側に押し込み可能な形態とする。
【００７３】          そして、正面囲い２ｄ１の左半面と右半面の回転動作の制動を行うため、左開放端部或いは右開放端部が背面囲い２ｄ４に向かって右台座５３０の頭上或いは左台座５４０の頭上を弧を描いて動き左開放端部或いは右開放端部が台座５３０と台座５４０を並べた境界線の真上に達した位置で回転動作を制動するために、例えば後述の図１３を用いて詳細を説明する脱着式仕切り板２９のように仕切り板繋止アーム２９５と２９６を図８に示した正面囲い２ｄ１の左右の両端部に備えて、背面囲い２ｄ４に後述の図１１と図１３を用いて説明する仕切り板留め７３ａと７３ｂを備えて、後述の図１１と図１３を用いて説明する仕切り板繋止ピン７５を用いて回転動作を制動する形態を使用することができる。
【００７４】          ここで、図８は回転軸を支えにしてペット用ケージ１０ｄを正面視で正面囲い２ｄ１の左半面を回転動作する様子を示し、図８中の矢印は回転動作の方向を示すものであるが、回転動作時の正面囲い２ｄ１は天井囲い（図示せず）と収容動物の着地面部間に収容動物が通過できない隙間間隔を保つ寸法として、正面囲い２ｄ１の開放端部が直角に押し込まれた時に収容動物が通過できない隙間間隔を背面囲い２４０間に保つ寸法とするが、正面囲い２ｄ１の左半面と右半面の全面を回転可能な形態としなくともよい。
但し、動物足下部３０に２台の台座を備えるペット用ケージ１０ｄの動物収容囲い部２０ｄの幅と奥行き寸法の比率（＝幅÷奥行き）は正面囲い２ｄ１の開放端部を可能な限り左右の囲いに近付けた方が収容動物を所望の台座上に追い寄せ易いので概ね２か２以下とするとよい。
【００７５】          以上の形態とすることで、収容動物を片方の台座上に呼び寄せている間合いを見計らって反対側台座側の正面囲い２ｄ１の開放端部を押し込んで正面囲い２ｄ１の左半面の開放端部或いは右半面の開放端部が台座５３０と台座５４０を並べた境界線上に達した角度位置で正面囲い２ｄ１の回転動作を制動することでペット用ケージ１０ｄに飼育中の動物を右台座５３０上或いは左台座５４０上に追い寄せることができ、その間に動物がいない側の台座をケージ支持台４０ａから取り外して効率的に清掃を行うことができる。
【００７６】          尚、正面囲い２ｄ１の左右の開放端部は後述の図１２と図１３を用いて詳細を説明する動物追い寄せ用脱着式仕切り板２９のように伸縮式の形態とすることで回転動作中に他の側面囲い部との隙間ができないので、収容動物を所望の台座上に一時的に呼び寄せることが困難な動物飼育にも適したペット用ケージにすることができ、動物収容囲い部２０ｄの幅と奥行き寸法の比率の制約も緩和される。
また、正面囲い２ｄ１の左右の開放端部が手前側にも弧を描いて動く回転軸を用いれば正面囲い２ｄ１を左半面と右半面の左右２枚分割の正面扉としても使用できることが明らかであろう。
【００７７】          図９は前記に示した従来のペット用ケージの課題を解決するため、収容動物が側面囲いを越えて逃げ出す可能性がない動物飼育に適した本発明の第５の実施形態例を示すペット用ケージ１０ｅの斜視図であるが、説明を容易にするため正面囲い２ｅ１と左囲い２ｅ５を２点鎖線の想像線を用いた透過図で示している。
図９に示すように、前記図５で説明した動物足下部３０を備え、正面囲い２ｅ１と右囲い２ｅ２と背面囲い２ｅ４と左囲い２ｅ５から成る４面の側面囲いと右台座５３０と左台座５４０を並べた境界線の頭上に並行するように正面囲い２ｅ１と背面囲い２ｅ４の間を結んで橋架するように金属製の太い丸棒に細い丸棒を並行して取り付けた形態の天井囲い回転支え７０を備えて、該天井囲い回転支え７０の太い丸棒と細い丸棒の隙間に通した１面の天井囲い２ｅ３で構成した下方を開口した箱形の動物収容囲い部２０ｅを備える形態とする。
【００７８】          ここで、天井囲い２ｅ３の奥行き寸法と幅寸法はペット用ケージ１０ｅを平面視で正面囲い２ｅ１と背面囲い２ｅ４と右囲い２ｅ２と左囲い２ｅ５に僅かな隙間ができる寸法であり、天井囲い回転支え７０を構成する太い丸棒は正面囲い２ｅ１と背面囲い２ｅ４間の奥行き寸法より僅かに長い寸法であり、細い丸棒は正面囲い２ｅ１と背面囲い２ｅ４間の奥行き寸法より僅かに短い寸法で太い丸棒と細い丸棒の間に天井囲い２ｅ３を挟み通して自由にスライド動作可能な程度の隙間を有する寸法とする。
【００７９】          また、正面囲い２ｅ１と背面囲い２ｅ４は上端部近傍にペット用ケージ１０ｅを正面視した台座５３０と台座５４０を並べた境界線の真上位置に天井囲い回転支え７０を構成する太い丸棒の直径より僅かに大きい丸穴（図示せず）を備えて、該丸穴に回転支え７０を構成する太い丸棒の端部を遊嵌して天井囲い回転支え７０を回転可能とする。
【００８０】          そして、天井囲い２ｅ３の回転動作とスライド動作を制動するため、例えばペット用ケージ１０ｅを正面視した天井囲い２ｅ３の左右の両端部に後述の図２０を用いて詳細を説明する天井囲い２ｃ３の左右の開放端部のように天井囲い繋止ピン通し７７５と７７６を備え、右囲い２ｅ２と左囲い２ｅ５に後述の図２０を用いて詳細を説明する右囲い２ｃ２と左囲い２ｃ５のように天井囲い繋止ピン通し２９７と２９８を備え、正面囲い２ｅ１と背面囲い２ｅ４に後述の図２０を用いて詳細を説明する正面囲い２ｃ１と背面囲い２ｃ４のように繋止ピン通し穴７７０と７７１と７７２を備え、後述の図２０を用いて詳細を説明する繋止ピン７７と７８を備える形態を使用することができる。
【００８１】          以上の形態とすることで、天井囲い回転支え７０の太い丸棒を回転軸にして図９中の実線矢印に示したように天井囲い２ｅ３を正面視で右回りと左回りに回転可能で、更に、図９中の破線矢印に示したように天井囲い２ｅ３を正面視で上下左右方向に動かすことが可能なため、ペット用ケージ１０ｃを正面視で天井囲い２ｅ３を右回り或いは左回りの回転動作と上下左右方向のスライド動作を組み合わせて、ペット用ケージ１０ｅに飼育中の動物を右台座５３０上或いは左台座５４０上に追い寄せて天井囲い２ｅ３の回転動作とスライド動作を制動することができ、その間に動物がいない側の台座をケージ支持台４０ａから取り外して効率的に清掃を行うことができる。
【００８２】          図１０は前記に示した従来のペット用ケージの課題を解決するため、収容動物が側面囲いを越えて逃げ出す可能性がない動物飼育に適した本発明の第６の実施形態例を示すペット用ケージ１０ｆの斜視図であるが、説明を容易にするため正面囲い２ｆ１と左囲い２ｆ５を２点鎖線の想像線を用いた透過図で示し天井囲いを記載していない。
【００８３】          図１０に示すように、前記図５で説明した動物足下部３０を備え、正面囲い２ｆ１と右囲い２ｆ２と背面囲い２ｆ４と左囲い２ｆ５と開放が可能な天井囲い（図示せず）から成る鉛直壁状の４面の側面囲いと１面の天井囲いで構成して下方を開口した箱形の動物収容囲い部２０ｆを備え、金属製ワイヤを格子状に組んだ金網や穴を多数開けた金属製板や透明樹脂板製の脱着式仕切り板２８０を備え、脱着式仕切り板２８０を図１０中の矢印で示した上下方向のスライド式に挿入して保持する長方形の開口口と繋止ピン（図示せず）を通す丸穴を両端に備えた金属製の長方形の上仕切り板ホルダー７１と下仕切り板ホルダー７２を備える形態とする。
【００８４】          ここで、脱着式仕切り板２８０の移動案内は例えば後述の図１６を用いて詳細を説明する動物追い寄せ板案内１００に示した上正面横柱４４０と下正面横柱４４１と上背面横柱４５０と下背面横柱４５１に設けた溝に、図１０に示した上仕切り板ホルダー７１と下仕切り板ホルダー７２を通す形態の移動案内を使用することができる。
尚、脱着式仕切り板２８０は上仕切り板ホルダー７１と下仕切り板ホルダー７２と組み合わせて動物追い寄せ板を形成し、動物追い寄せ板は正面囲い２ｆ１と背面囲い２ｅ４と動物の着地面部に収容動物が通過できない隙間間隔を保つ外形寸法とする。
【００８５】          以上の形態とすることで、普段の動物飼育時は脱着式仕切り板２８０をペット用ケージ１０ｆから外して置き、ケージの清掃時は天井囲い（図示せず）を開放して仕切り板ホルダー７１と仕切り板ホルダー７２を左囲い２ｆ５側或いは右囲い２ｆ２側に密着させた状態にして上仕切り板ホルダー７１と下仕切り板ホルダー７２に設けた長方形の穴に脱着式仕切り板２８０を通してセットした後に、脱着式仕切り板２８０と上仕切り板ホルダー７１と下仕切り板ホルダー７２を組み合わせた動物追い寄せ板に利用して、右囲い２ｆ２側或いは左囲い２ｆ５側に移動させて、上仕切り板ホルダー７１と下仕切り板ホルダー７２の両端に設けた丸穴に繋止ピン（図示せず）を通すことでペット用ケージ１０ｆに飼育中の動物を右台座５３０上或いは左台座５４０上に追い寄せて脱着式仕切り板２８０の横方向の動きを制動することができ、その間に動物がいない側の台座をケージ支持台４０ａから取り外して効率的に清掃を行うことができる。
【００８６】          以下、図１１から図１４は前記に示した従来のペット用ケージの課題を解決するため、収容動物が側面囲いを越えて逃げ出す可能性がない動物飼育に適した本発明の第７の実施形態例を示すペット用ケージ１０ｇを説明する図である。
【００８７】          図１１はペット用ケージ１０ｇの斜視図であるが、説明を容易にするため正面囲い２ｇ１と左囲い２ｇ５を２点鎖線の想像線を用いた透過図で示し天井囲いを記載せず本発明の説明に直接必要ない構成部品記載等を省略した外形輪郭形状を示したノットスケールの簡略図である。
図１１に示すように、正面囲い２ｇ１と右囲い２ｇ２と背面囲い２ｇ４と左囲い２ｇ５と開放が可能な天井囲い（図示せず）から成る４面の側面囲いと１面の天井囲いで構成して下方を開口した箱形の動物収容囲い部２０ｇを備え、図１１中の矢印で示した前後方向に出し入れ可能な屑類を収容する成形樹脂製の右トレイ６ｂ１と左トレイ６ｂ２と金属製ワイヤを格子状に組んだ収容動物を乗せて屑類を通過する金網製の右床５ｂ１と左床５ｂ２と成形樹脂製の底板４００から成る動物足下部３１を備え、図１１中の矢印で示した上下方向に脱着可能で背面囲い２ｇ４側に鉛直方向の回転軸を持ち図１１中の矢印で示した左右回りの回転動作が可能な脱着式仕切り板２９を備え、脱着式仕切り板２９の回転動作の制動に用いる図１１中の矢印で示した上下方向に脱着可能な仕切り板繋止ピン７５を備える。
尚、ペット用ケージ１０ｇと脱着式仕切り板２９は後述の図１２と図１３と図１４を用いて詳細を説明する。
【００８８】          そして、背面囲い２ｇ４はペット用ケージ１０ｇを平面視した右トレイ６ｂ１と左トレイ６ｂ２を並べた境界線の真上位置に鉛直方向に並ぶ中空円筒状の金属製の仕切り板バー受け７４ａと７４ｂを備えて脱着式仕切り板２９のセットを行い脱着式仕切り板２９の回転軸支えに用いる、正面囲い２ｇ１はペット用ケージ１０ｇを平面視した右トレイ６ｂ１と左トレイ６ｂ２を並べた境界線の真上位置に鉛直方向に並ぶ中空円筒状の金属製の仕切り板留め７３ａと７３ｂを備えて前記の仕切り板繋止ピン７５と組み合わせて脱着式仕切り板２９の回転動作の制動に用いる。
【００８９】          ここで、右囲い２ｇ２と背面囲い２ｇ４と左囲い２ｇ５は右トレイ６ｂ１と左トレイ６ｂ２を並べて収納した左右の鉛直壁状の周壁と背面壁を抱え込むように３面の側面囲いの底部がトレイ置き用の底板４００の上に乗る形態であり、正面囲い２ｇ１の底部は収納した右トレイ６ｂ１と左トレイ６ｂ２の高さより僅かに高い位置となる形態であり、ペット用ケージ１０ｇを正面視した左床５ｂ２はペット用ケージ１０ｇに水平置きにセットした状態から左端側を支点にして図１１中の矢印に示した左回りの弧を描くように右端部を持ち上げてから斜め上方向に引いて上方に持ち上げて取り外す形態であり、正面視した右床５ｂ１はペット用ケージ１０ｇに水平置きにセットした状態から右端側を支点にして左端部を左回りの弧（図示せず）を描くように持ち上げてから斜め上方に引いて上方に持ち上げて取り外す形態とする。
【００９０】          以上の形態とすることで、普段の動物飼育時は脱着式仕切り板２９をペット用ケージ１０ｇから外しておき、ケージの清掃時は天井囲い（図示せず）を開放して脱着式仕切り板２９の開放端部を左囲い２ｇ５側向き或いは右囲い２ｇ２側向きに背面囲い２ｇ４に備えた仕切り板バー受け７４ａと７４ｂに脱着式仕切り板２９をセットして、ペット用ケージ１０ｇを平面視して脱着式仕切り板２９を右回り或いは左回りの回転動作と伸縮動作を組み合わせてペット用ケージ１０ｇに飼育中の動物を右床５ｂ１上或いは左床５ｂ２上に追い寄せることができ、脱着式仕切り板２９の開放端部が正面囲い２ｇ１に設けた仕切り板留め７３ａと７３ｂに重なる位置で仕切り板繋止ピン７５を装着して脱着式仕切り板２９の回転動作を制動して、その間に動物がいない側の左床５ｂ２と左トレイ６ｂ２或いは右床５ｂ１右トレイ６ｂ１を取り外して効率的に清掃を行うことができる。
尚、脱着式仕切り板２９と右床５ｂ１と左床５ｂ２の形態と脱着方法等に関しては後述の図１３と図１４を用いて詳細を説明する。
【００９１】          図１２はペット用ケージ１０ｇの内部構造を説明するため、図１１に示したペット用ケージ１０ｇを正面視したＣ−Ｃ部の断面図であるが、図１１が説明を容易にするため外形輪郭形状を示した簡略図であったのに対して図１２はより詳細な説明を行うため図１１で詳細な記載を省略した部分を図１２に記載している箇所があるノットスケールの断面図であり、説明を容易にするため、脱着式仕切り板２９の開放端部を左囲い２ｇ５側向きで背面囲い２ｇ４に密着するようにセットした状態で記載し、天井囲いを記載していない。
ここで、図１２に示すペット用ケージ１０ｇの動物足下部３１は前記の図５から図１０を用いて示したケージ支持台４０ａを備える６例のペット用ケージに用いた動物足下部３０とは異なる形態である。
【００９２】          図１２に示すように、ペット用ケージ１０ｇを正面視した断面構造は、右囲い２ｇ２と背面囲い２ｇ４と左囲い２ｇ５を備え、右囲い２ｇ２と背面囲い２ｇ４と左囲い２ｇ５と底板４００が右トレイ６ｂ１と左トレイ６ｂ２を抱え込むようにトレイを収納する構造で、右囲い２ｇ２と背面囲い２ｇ４と左囲い２ｇ５の底が平面板形状の底板４００上に乗る形態であり、右囲い２ｇ２と背面囲い２ｇ４と左囲い２ｇ５と正面囲い２ｇ１（図１２には図示されていない）の４面で構成する側面囲い部は、右トレイ６ｂ１と左トレイ６ｂ２の収納部より上側が右トレイ６ｂ１と左トレイ６ｂ２の開口部より内側になり、ペット用ケージ１０ｇを側面視で４面で構成した各側面囲い部に段差を設けた形状として、側面囲い部近傍からの屑類の流出を防ぐ。
【００９３】          ここで、右床５ｂ１と左床５ｂ２をペット用ケージ１０ｇにセットできるように、右囲い２ｇ２と背面囲い２ｇ４と左囲い２ｇ５は右トレイ６ｂ１と左トレイ６ｂ２の鉛直壁状の周壁高さより僅かに高い高さ位置に庇状に突出する金属製の右床支え４１０と４１１と左床支え４２０と４２１を備え、更に背面囲い２ｇ４は右床支え４１０等と同じ高さ位置に背面囲い２ｇ４と前記の図１１に示した正面囲い２ｇ１（図１２には図示されてない）間に架かる２本の丸木橋状に金属製円形断面の右床支え４１２と左床支え４２２を備える。
【００９４】          また、背面囲い２ｇ４は、脱着式仕切り板２９に備えた金属製の仕切り板取り付けバー７６ａと７６ｂを差し込んで脱着式仕切り板２９を背面囲い２ｇ４にセットするための前記図１１の説明で示した金属製中空円筒状の仕切り板バー受け７４ａと７４ｂを備えた形態とする。
【００９５】          ここで、右トレイ６ｂ１と左トレイ６ｂ２はトレイ上に直接床板を乗せる必要がないため、後述する図１５のトレイセット６０ｃを構成する右トレイ６ａ１と左トレイ６ａ２から床支え突起９３２と床支え突起９３３と床支え柱９３４を除いた図１２に示した断面構造のものを使用して樹脂量を減らすことができる。
以上の形態とすることで、動物足下部３１は前記の図５から図１０で説明したペット用ケージの実施形態例と比較して成形樹脂製のケージ支持台４０ａを備える必要がなくなるためケージの製造コストを下げることができる利点がある。
【００９６】          図１３は前記図１１に示したペット用ケージ１０ｇに脱着式仕切り板２９をセットする方法と脱着式仕切り板２９の構造を説明するため、前記図１１に示したペット用ケージ１０ｇを左側面視したＤ−Ｄ部のノットスケールの断面図である。
【００９７】          図１３に示すように、脱着式仕切り板２９は前記図１１に示したペット用ケージ１０ｇにセットするための円形断面のＬ字形の金属製の仕切り板取り付けバー７６ａと７６ｂを取り付けた薄い金属板製のベース板２９１と、仕切り板取り付けバー７６ａと７６ｂを支点にして回転動作する脱着式仕切り板２９の回転動作を制動するための金属製中空円筒の仕切り板繋止アーム２９５と２９６を取り付けた薄い金属板製の拡張板２９２で脱着式仕切り板２９を構成する形態とする。
ここで、拡張板２９２は脱着式仕切り板２９の全体の長さを伸縮できるようにするために、ベース板２９１と拡張板２９２との重なり寸法を図１３中の左右向き矢印に示した方向に調整できるように拡張板２９２はベース板２９１の上下部を僅かな隙間を設けてＵ字形に抱え込む形状の金属板製のベース板ホルダー２９３とベース板ホルダー２９４を備えた形態とする。
【００９８】          そして、前記図１１に示したペット用ケージ１０ｇに脱着式仕切り板２９をセットするため、背面囲い２ｇ４の内側に脱着式仕切り板２９に備えたＬ字形の仕切り板取り付けバー７６ａと７６ｂの直径より僅かに穴径が大きい金属製中空円筒の仕切り板バー受け７４ａと７４ｂを備え、収容動物を所望の床上に追い寄せた後に脱着式仕切り板２９の回転動作を制動するため、正面囲い２ｇ１の内側に脱着式仕切り板２９に備えた仕切り板繋止アーム２９５と２９６の穴径と同等以上の穴径の金属製中空円筒の仕切り板留め７３ａと７３ｂを備えて、仕切り板繋止アーム２９５と２９６の穴と仕切り板留め７３ａと７３ｂの穴を貫通する円形断面の丸棒部と丸棒部の頭部に指掛け用のリングを設けた金属製の仕切り板繋止ピン７５を備える形態とする。
【００９９】          以上の形態とすることで、脱着式仕切り板２９に備えた仕切り板取り付けバー７６ａと７６ｂを背面囲い２ｇ４に備えた仕切り板バー受け７４ａと７４ｂに差し込むことで前記図１１に示したペット用ケージ１０ｇに脱着式仕切り板２９を容易にセット可能であり、仕切り板取り付けバー７６ａと７６ｂを回転軸にして脱着式仕切り板２９の回転動作を行うことができ、ベース板２９１を支えにして拡張板２９２を図１３の矢印で示した前後方向にスライド式に動かして仕切り板全体の長さを伸縮させることが可能であるため、前記図１１に示した動物収容囲い部２０ｇと脱着式仕切り板２９の間に隙間ができないので収容動物を円滑に所望の床上に追い寄せることができる。
【０１００】          そして、脱着式仕切り板２９を９０°回転させて、脱着式仕切り板２９の開放端側に備えた仕切り板繋止アーム２９５と２９６が正面囲い２ｇ１に備えた仕切り板留め７３ａと７３ｂの頭上に重なった状態時に、仕切り板繋止アーム２９５と２９６の穴と仕切り板留め７３ａと７３ｂの穴に仕切り板繋止ピン７５の丸棒部を差し込むことで脱着式仕切り板２９の回転動作を制動することができる。
【０１０１】          図１４は前記図１１に示したペット用ケージ１０ｇに用いる床の詳細な形態の説明と脱着方法を説明するための前記図１２に示した左床５ｂ２近傍の断面拡大図であるが説明を容易にするため本発明の説明に直接必要ない構成部品の記載等を省略したノットスケールの簡略図である。
ここで、右床５ｂ１側は以下に説明する左床５ｂ２側と対称の形態であり、右床５ｂ１側の説明は左床５ｂ２側の内容と重複するため図示と説明を省略する。
【０１０２】          図１４に示すように、ペット用ケージ１０ｇを正面視して左床５ｂ２の裏側にはＵ字を左回りに９０°回転して左側を開口した形状である金属製円形断面の床外れ止めフック７３ｃを前記図１１に示した正面囲い２ｇ１（図１４には図示せず）寄り側と背面囲い２ｇ４寄り側の２箇所に備えて左床支え４２２をＵ字形の開口部で挟み、左床５ｂ２の幅寸法は左床５ｂ２を左囲い２ｇ５側に押しつけた状態時に床外れ止めフック７３ｃが左床支え４２２から外れない程度の隙間が左床５ｂ２と左囲い２ｇ５間にできる幅寸法とする。
【０１０３】          以上の形態とすることで、左床５ｂ２をペット用ケージ１０ｇにセット時はペット用ケージ１０ｇを正面視して左床５ｂ２の床外れ止めフック７３ｃ側を斜め下向きにして床外れ止めフック７３ｃが左床支え４２２を挟んだ後に左床５ｂ２の右端が図１４中の実線矢印に示す右回りに弧を描くように下ろすことにより背面囲い２ｇ４に備えた左床支え４２１と左囲い２ｇ５に備えた左床支え４２０上に左床５ｂ２を乗せる形態で左床５ｂ２をペット用ケージ１０ｇにセットすることができ、ペット用ケージ１０ｇから取り外す時はペット用ケージ１０ｇを正面視して左床５ｂ２の右端部を図１４中の破線矢印で示した左回りに弧を描くように持ち上げて床外れ止めフック７３ｃが左床支え４２２から外れるように斜め上方向に持ち上げることにより左床５ｂ２を取り外すことができる。
【０１０４】          ここで、上記に示した左床５ｂ２をペット用ケージ１０ｇ内に持ち上げ式にセットするために左床５ｂ２が動物収容囲い部２０ｇの内側に収まる大きさであり、左床５ｂ２の頭上を押さえる仕掛けがない構造であるが、動物飼育中に右床５ｂ１上に乗った動物がいたずらして左床５ｂ２の左端部を口で銜えて上方に持ち上げようとしても床外れ止めフック７３ｃが左床支え４２２に接触して左床５ｂ２を持ち上げることができず大きな音の発生や床外れを防止することができる。
【０１０５】          そして、左囲い２ｇ５に隣接する側の左床５ｂ２端部には床外れ止めフックを備えていないが、収容動物が左囲い２ｇ５に隣接する側の左床５ｂ２端部を持ち上げようとする時は収容動物が左床５ｂ２上に乗って居る必要があるため自身を持ち上げることはできないので床外れ止めフックや他の床外れ防止の仕掛けを講じる必要がなく、右床５ｂ１側も上記の左床５ｂ２側と対称の形態であるため、収容動物がいたずらして右床５ｂ１を持ち上げることができず大きな音の発生や床外れを防止することができる。
【０１０６】          以上、図５から図１４を用いての従来の課題を解決するための第１の解決手段に記載の内容に基づいて収容動物を乗せて屑類を通過する床と屑類を収容するトレイを組み合わせた台座を引き出し式に２台横に並べてセットする７例のペット用ケージの形態を説明したが、本発明のペット用ケージの第８の実施形態例として、例えばウサギのように比較的乾燥した粒状の糞をペット用ケージの特定の場所に排泄する性質の動物の飼育目的であれば、汚れの染み込み難い例えば金属製ワイヤを格子状に組んだ金網製の１台の床を２台横に並べたトレイの上側位置に持ち上げ式に脱着可能に置く形態としてもよい。
この様な形態とすることで、持ち上げ式に脱着可能な床の形態であっても収容動物自身が乗る床を銜えて上方に持ち上げることができないので、床の裏側に前記図１４の説明で示した床外れ止めフック７３ｃが不要な単純な構造となり床のコストが下げられ、動物が排泄した糞尿が付着した特定場所の洗浄を行いたい時は動物追い寄せ板２９を用いて汚染していない床側のトレイ側上に収容動物を追い寄せておき、その間に収容動物の体を濡らさずに床の汚染部に洗浄液をスプレーしてブラッシング洗浄を行うことができ、洗浄液はトレイ中に落ちるので家屋の床を汚さない低コストで実用的なペット用ケージを提供することができる。
【０１０７】          以上で前記の第１の解決手段を用いて、収容動物を乗せる床や収容動物を乗せて屑類を収容するトレイや収容動物を乗せて屑類を通過する床と屑類を収容するトレイを組み合わせた種類の台座をペット用ケージに動物を収容したままの状態で効率的に清掃することが可能なペット用ケージの実施形態を８例示したが、８例の実施形態例中で図５から図１０を用いて示した６例のペット用ケージに用いたトレイセットの詳細を以下に示す。
【０１０８】          図１５はトレイ同士を並べた隙間から液体状屑や小さな屑の流出を防ぐ前記の第２の解決手段を用いた本発明の一実施形態を示すトレイセット６０ｃのノットスケールの斜視図である。
【０１０９】          図１５に示すように、トレイセット６０ｃは成形樹脂製の右トレイ６ａ１と左トレイ６ａ２で構成する。
ここで、左トレイ６ａ２は右トレイ６ａ１と隣り合う側の周壁に上方を開口するバルコニー状の張り出しを備える周壁９１ａを備え、隣り合う右トレイ６ａ１は左トレイ６ａ２のバルコニー状の張り出しの下に潜るように他の３面の周壁より高さが低いバルコニー状の張り出しの下に潜る高さの周壁９０ａを備える形態であり、左トレイ６ａ２と右トレイ６ａ１の幅と奥行きと高さの外形寸法は同一とする。
【０１１０】          そして、左トレイ６ａ２は４面の周壁の内側の両端部と中心部に、床を乗せて不要物を溜めるスペース深さを確保するために、上に乗せる床の厚さ寸法分だけトレイの頂上部の高さより低い８箇所の棚状の床支え突起９３３を備え、正面の周壁に側面視した断面が底辺部を開口した三角形形状の手懸け８３を備える。
右トレイ６ａ１はバルコニー状の張り出しの下に潜る高さの周壁９０ａを除く３面の周壁の内側の両端部と中心部に、床を乗せて不要物溜めるスペース深さを確保するために、上に乗せる床の厚さ寸法分だけ頂上部の高さがトレイの頂上部の高さより低い７箇所の棚状の床支え突起９３２を備え、バルコニー状の張り出しの下に潜る高さの周壁９０ａ側は前記の床支え突起９３２と奥行き方向に直線上に等間隔整列する位置に、上に乗せる床の厚さ寸法分だけ頂上部の高さがトレイの頂上部の高さより低い１箇所の角柱状の床支え柱９３４を備え、正面の周壁に側面視した断面が底辺部を開口した三角形形状の手懸け８２を備える。
【０１１１】          以上の形態とすることで、左トレイ６ａ２と右トレイ６ａ１をペット用ケージにセットして使用時に左トレイ６ａ２のバルコニー状の張り出しの先端が右トレイ６ａ１の開口部上に重なり屑類が左トレイ６ａ２と右トレイ６ａ１を並べた周壁の鉛直方向の隙間を通り下方に通過する経路が遮蔽されるため、屑類が外に漏れ出すのを防止することができ、床支え突起９３３と床支え突起９３２と床支え柱９３４があるため金属製ワイヤを格子状に組んだ金網製のものや穴を多数開けた樹脂製の平板等の床をトレイ上に乗せて使用することができるためトレイと床を同時にペット用ケージにセットして取り外すことが可能で、手掛け８３と手掛け８２があるためトレイと床の脱着作業を効率的に行うことができる。
【０１１２】          また、以上の形態とすることで、トレイ同士の境界線の幅を持たせることができるので、前記図７に示した台座同士の境界線に並行する回転軸或いは図８を用いて示した台座同士の境界線に交差する鉛直線方向の回転軸を、正面視したケージの中心位置に揃えて置く必要がなく台座同士の境界線の範囲内でケージの中心位置から左右に外した位置に回転軸を置くことができるので、回転軸を２本備えることができ、動物収容囲い部の機械的強度を損なわずに大形のペット用ケージを提供することができる。
但し、動物追い寄せ板支え用の回転軸を２本備える形態のペット用ケージの留意点として、前記図５と図１５で詳細を説明の動物足下部３０の台座ように床とトレイとトレイを同時に引き出す形態の台座を用いて、清掃を行うために左台座５４０を取り外すと、普段の飼育時には右トレイ６ａ１の段差部を形成する周壁９０ａ部の頭上に被さり収容動物の下方向への逃げ出しを防いでいた左床５ａ２が外れてしまい、右トレイ６ａ１の段差部上が開口してしまうため、体の小さい動物飼育ではこの開口部からの逃げ出しリスクを生じるため、飼育動物見合いで前記図１１から図１４で説明のペット用ケージ１０ｇのように、トレイと床を別々に取り外す形態の動物足下部を用いると逃げ出しリスクを回避できて好ましい。
【０１１３】          図１６は動物追い寄せ板の移動案内を説明する第１の実施形態例を示す動物追い寄せ板案内１００の斜視図であるが、説明を容易にするため動物収容囲い部の要部を分解した状態で示し、本発明の説明に直接必要ない正面囲いや天井囲いや背面囲い等の構成部品の記載を省略したノットスケール図であり、前記図５の説明で示したペット用ケージ１０ａの右囲い２ａ２と左囲い２ａ５を動物追い寄せ板に使用する移動案内を具体化した形態を示す図である。
【０１１４】          左枠４３１と右枠４３０は、４辺の縁の寸法が後述する上背面横柱４５０等の横柱の太さ寸法と等しく、後述する上正面横柱４４０と下正面横柱４４１と上背面横柱４５０と下背面横柱４５１を側面視した端面に設けたネジ穴位置に対応したネジ通し穴を四隅に設けた額縁状の金属製枠板を２枚準備し、図１６に示したように２枚の額縁状の枠板同士が上背面横柱４５０等の横柱を４本挟んで対向するように配置して左枠４３１と右枠４３０に用いる。
【０１１５】          左囲い２ａ５と右囲い２ａ２は動物追い寄せ板案内１００への組み込む方向が異なるが同一仕様のものを用いるため、左囲い２ａ５の形態を代表にして以下に示す。
【０１１６】          図１６に示すように、左囲い２ａ５は金属製ワイヤを格子状に組んだ金網２７０と上案内板２７１と下案内板２７２を用いて構成する。
ここで、上案内板２７１と下案内板２７２は後述する上背面横柱４５０等に設けた案内溝に収まり左右方向に移動可能とするため、該案内溝より僅かに薄い金属製の板をＬ字形に曲げて２面を持つ形状であり、図１６に示した動物追い寄せ板案内１００に組み込み時に水平面となる面の幅寸法は１ｃｍから２ｃｍ程度で奥行き寸法は動物追い寄せ板案内１００が完成時の上正面横柱４４０と上背面横柱４５０に設けた案内溝の間に僅かな隙間を持って収まる長さであり、鉛直面部の高さ寸法は金網２７０を取り付けるのに必要な０．５ｃｍから１ｃｍ程度で奥行き寸法は動物追い寄せ板案内１００の完成時の上正面横柱４４０と上背面横柱４５０の鉛直面に隙間を持って収まる長さであり、動物追い寄せ板案内１００に組み込み時に水平面となる面の両端に繋止ピン（図示せず）を通すための貫通穴を設けたものを２枚準備する。そして左囲い２ａ５は動物追い寄せ板案内１００を正面視して上案内板２７１は水平面が上で鉛直面が右側になる向きで、下案内板２７２は水平面が下で鉛直面が右側になる向きに配置して、上案内板２７１と下案内板２７２の双方の鉛直面部の右外側に金網２７０をロウ付け或いは電気溶接して左囲い２ａ５を組み立てた形態とする。
【０１１７】          上背面横柱４５０と下背面横柱４５１は、側面視が正四角形で横に長い直方体外形輪郭形状の金属製横柱を２本準備して、図１６に示すように該横柱の正面側鉛直面に面の中心より上側寄りの高さ位置に該横柱の長手方向の端から端に達する左囲い２ａ５を構成する上案内板２７１と下案内板２７２を通して案内するための水平直線の案内溝を設けて、該横柱を平面視した該横柱の長手方向の左端側近傍に１箇所と中心近傍に２箇所と右端側近傍に１箇所の合計４箇所が一直線に並ぶ４箇所の繋止ピン（図示せず）を通すための貫通穴を設けて、該横柱の両側面の中心より下側寄りで背面に設けた案内溝に触れない穴径のネジ穴を左右の側面の対称位置に設けて上背面横柱４５０と下背面横柱４５１に用いる。
【０１１８】          ここで、上記の上背面横柱４５０と下背面横柱４５１に設ける繋止ピン（図示せず）を通すための４箇所の貫通穴の位置は、図１６に示した動物追い寄せ板案内１００の両端部に可動式の左囲い２ａ５と可動式の右囲い２ａ２を繋止する位置と、左囲い２ａ５を動物足下部（図示せず）に備えた台座同士（図示せず）の境界線上か僅かに右台座上（図示せず）に掛る位置に繋止する位置と、右囲い２ａ２を動物足下部（図示せず）に備えた台座同士（図示せず）の境界線上か僅かに左台座上（図示せず）に掛る位置に繋止するように左囲い２ａ５と右囲い２ａ２の案内板に設けた繋止ピンを通すための穴位置に上背面横柱４５０と下背面横柱４５１の各４箇所の貫通穴位置を合わせる形態とする。
【０１１９】          上正面横柱４４０と下正面横柱４４１は上記で示した上背面横柱４５０をミラー反転形状（上背面横柱４５０を側面視して線対称の側面形状）の金属製柱を２本準備して、上正面横柱４４０と下正面横柱４４１に用いる。
【０１２０】          そして、動物追い寄せ板案内１００の組み上げは、図１６に示したように上正面横柱４４０と下正面横柱４４１と上背面横柱４５０と下背面横柱４５１を右枠４３０の四隅に位置を合わせて４本のネジ９４０（１本は上正面横柱４４０の隠れて見えない）を用いて右枠４３０に取り付けて、右囲い２ａ２を金網が右枠４３０側になる向きにして上下の案内板を上背面横柱４５０等に設けた４本の案内溝に通して図１６中の実線矢印に示した右枠４３０方向に動かして組み込み、次に左囲い２ａ５を金網が左枠４３１側になる向きにして上下の案内板を上背面横柱４５０等に設けた４本の案内溝に通して図１６中の実線矢印に示した右枠４３０方向に動かして組み込み、次に左枠４３１を上背面横柱４５０等に設けた４箇所のネジ穴にネジ９４０を４本用いて取り付けて動物追い寄せ板案内１００を組み上げて、前記図５に示した動物収容囲い部２０ａに用いることができる。
【０１２１】          以上の形態とすることで、上背面横柱４５０等に設けた繋止ピンを通すための４箇所の貫通穴より僅かに直径が小さい前記図１１を用いて示した丸棒部の頭部に指掛け用のリングを設けた金属製の仕切り板繋止ピン７５の形状の繋止用ピンを４本準備して（図示せず）、普段の飼育時は右囲い２ａ２と左囲い２ａ５を上背面横柱４５０等の両端部に寄せた位置で繋止ピンを穴に通しておき、右台座の清掃時は右囲い２ａ２を動物追い寄せ板に利用して図１６中の破線矢印に示した左枠４３１の方向に動かして上背面横柱４５０等に設けた平面視で左から３番目の穴位置で繋止ピンを穴に通し、逆に左台座の清掃時は左囲い２ａ５を動物追い寄せ板に利用して図１６中の実線矢印に示した右枠４３０の方向に動かして上背面横柱４５０等に設けた平面視で左から２番目の穴位置で繋止ピンを穴に通すことで、頭上に動物がいない側の台座を取り外して効率的に清掃を行うことができる。
【０１２２】          ここで、上正面横柱４４０と下正面横柱４４１と上背面横柱４５０と下背面横柱４５１の案内溝を横向きの開口形状としたことで、特に下正面横柱４４１と下背面横柱４５１の案内溝部への屑類の詰まりを減らすことができる。
【０１２３】          以上で動物収容囲い部を構成する側面囲いを平面視で横方向に動かして動物追い寄せ板に使用するペット用ゲージの囲い面を案内する形態を示したが、上記に示した案内の形態は脱着式の仕切り板を動物追い寄せ板に用いる前記の図１０の説明で示したペット用ケージ１０ｆの仕切り板の案内にも僅かな変更で適用可能なことが明らかであろう。
【０１２４】          図１７は動物追い寄せ板の移動案内を説明する第２の実施形態例を示す動物追い寄せ板案内１１０の斜視図であるが、前記図６の説明で示したペット用ケージ１０ｂの動物追い寄せ板の移動案内を具体化した形態を示す図である。
説明を容易にするため外形輪郭形状を示したノットスケールの簡略図であり、右動物収容囲い部２００を図１７中の矢印に示した左動物収容囲い部２０１側に動かして右動物収容囲い部２００が左動物収容囲い部２０１の内側に入った状態を破線を用いた透過図で記載して動物追い寄せ板案内１１０との配置関係を示しているが、前記図６の説明で示したケージ支持台４０ａと右台座５３０と左台座５４０は記載していない。
【０１２５】          図１７に示すように、正面横柱４３２と背面横柱４３３の左右の側面を右側面枠４６０と左側面枠４６１で挟む形状で動物追い寄せ板案内１１０を構成する。
正面横柱４３２と背面横柱４３３は双方の対向面に後述の図１８を用いて詳細を説明する案内溝（図１７には図示せず）を備え、右動物収容囲い部２００と左動物収容囲い部２０１の底の四隅に正面方向と背面方向に水平に突出する四角形板形状の案内板２７３（前記図６では図示していない）を備えて、合計８箇所の案内板２７３を正面横柱４３２と背面横柱４３３に設けた案内溝（図１７には図示せず）に通して動物追い寄せ板案内１１０に右動物収容囲い部２００と左動物収容囲い部２０１を組み込む形態とする。
【０１２６】          ここで、右動物収容囲い部２００は前記図１７の説明で示したように左動物収容囲い部２０１の内側に収まる大きさであるが、正面視した右動物収容囲い部２００と左動物収容囲い部２０１の横幅寸法は同じであり、右動物収容囲い部２００と左動物収容囲い部２０１を最も外端側に置いた時の正面視した右動物収容囲い部２００と左動物収容囲い部２０１が重なる寸法は案内板２７３と同じ寸法とする。
【０１２７】          以下、図１８を用いて動物追い寄せ板案内１１０の詳細な説明を行う。
図１８は図１７で示した、動物追い寄せ板案内１１０の詳細構造を説明するため、背面横柱４３３に左側面枠４６１を取り付ける様子を示す斜視図であるが、説明を容易にするため左側面枠４６１を２点鎖線の想像線を用いた透過図で記載したノットスケール図である。
【０１２８】          図１８に示すように、背面横柱４３３の正面側向き鉛直面には左動物収容囲い部２０１の底部の隅に備えた案内板２７３と右動物収容囲い部２００の底部の隅に備えた案内板２７３を遊嵌して左右方向に移動可能にするために案内板２７３の板厚より少し広くて深い水平直線の上案内溝８４と下案内溝８５を備える。
また、上案内溝８４の両端部と中心部には前記図１７で示した左動物収容囲い部２０１に備えた案内板２７３を落とし込むための案内板２７３の幅より少し広い幅で板厚より深い寸法のピット８６を備え、下案内溝８５の両端部と中心部には右動物収容囲い部２００に備えた案内板２７３を落とし込むための案内板２７３の幅より少し広い幅で板厚より深い寸法のピット８７を備える。
【０１２９】          そして、背面横柱４３３は図１８に示すように左側面枠４６１の奥行き方向一杯に背面横柱４３３の背面に合わせた位置でネジ９４１を用いて背面横柱４３３と左側面枠４６１を組み付ける形態であり、正面横柱４３２（図示せず）は背面横柱４３３をミラー反転形状（背面横柱４３３を側面視して線対称の側面形状）であり、右側面枠４６０（図示せず）は左側面枠４６１をミラー反転形状（左側面枠４６１を側面視して線対称の側面形状）とする。
【０１３０】          以下、図１９を用いて右動物収容囲い部２００と左動物収容囲い部２０１を動物追い寄せ板案内１１０に組み込んだ状態の詳細を示す。
図１９は前記図１７を用いて示した動物追い寄せ板案内１１０を右側面視したＦ−Ｆ部の断面図であるが、図１７が説明を容易にするため外形輪郭形状を示した簡略図であったのに対して図１９はより詳細な説明を行うため図１７で記載を省略した部分を図１９に記載している箇所があるノットスケールの断面図である。
【０１３１】          図１９に示すように、背面横柱４３３の正面側向き鉛直面は、左動物収容囲い部２０１を構成する左背面囲い２４１の底部に備えた水平に突出する案内板２７３の表裏面と端面を囲んで左動物収容囲い部２０１の移動案内を行うために、背面横柱４３３の長手方向の端から端に達する水平直線の上案内溝８４を備え、上案内溝８４の長手方向の両端部と中心部に上案内溝８４の深さを増して左背面囲い２４１の底部に備えた水平に突出する案内板２７３を落とし込むためのピット８６を備え、図１９は案内板２７３がピット８６に落ち込んで制動している状態を示している。
【０１３２】          そして、背面横柱４３３の正面側向き鉛直面は、右動物収容囲い部２００を構成する右背面囲い２４０の底部に備えた水平に突出する案内板２７３の表裏面と端面を囲んで右動物収容囲い部２００の移動案内を行うために、背面横柱４３３の長手方向の端から端に達する水平直線の下案内溝８５を備え、正面視した下案内溝８５の長手方向の両端部と中心部に下案内溝８５の深さを増して右背面囲い２４０の底部に備えた水平に突出する案内板２７３を落とし込むための破線で示したピット８７を備え、図１９は案内板２７３が下案内溝８５を通過可能な状態を示している。
【０１３３】          正面横柱４３２の断面は図１９に示したように背面横柱４３３をミラー反転した形状であり（背面横柱４３３を側面視して線対称の断面形状）、正面横柱４３２の背面側向き鉛直面は、左動物収容囲い部２０１を構成する左正面囲い２１１の底部に備えた水平に突出する案内板２７３の表裏面と端面を囲んで左動物収容囲い部２０１の移動案内を行うために、正面横柱４３２の長手方向の端から端に達する水平直線の上案内溝８４を備え、上案内溝８４の長手方向の両端部と中心部に上案内溝８４の深さを増して左正面囲い２１１の底部に備えた水平に突出する案内板２７３を落とし込むためのピット８６を備え、図１９は案内板２７３がピット８６に落ち込んで制動している状態を示している。
【０１３４】          そして、正面横柱４３２の背面側向き鉛直面は、右動物収容囲い部２００を構成する右正面囲い２１０の底部に備えた水平に突出する案内板２７３の表裏面と端面を囲んで右動物収容囲い部２００の移動案内を行うために、正面横柱４３２の長手方向の端から端に達する水平直線の下案内溝８５を備え、下案内溝８５の長手方向の両端部と中心部に下案内溝８５の深さを増して右正面囲い２１０の底部に備えた水平に突出する案内板２７３を落とし込むための破線で示したピット８７を備え、図１９は案内板２７３が下案内溝８５を通過可能な状態を示している。
【０１３５】          ここで、右側面視した動物追い寄せ板案内１１０は、図１９に示すように右側面枠４６０の両端に正面横柱４３２と背面横柱４３３を乗せて皿頭ネジ９４１を用いてネジの頭が右側面枠４６０板厚中に埋没するように組み付ける形態であり、図１９に図示していない左側面枠４６１側も右側面枠４６０側と同様に左側面枠４６１の両端に右正面横柱４３２と背面横柱４３３を乗せて皿頭ネジ９４１を用いてネジの頭が左側面枠４６１の板厚中に埋没するように組み付ける形態とする。
【０１３６】          そのため、動物追い寄せ板案内１１０の組み立て手順例を示すと、最初に前記図１８を用いて示した背面横柱４３３を左側面枠４６１に皿頭ネジ９４１を用いて組み（図１９に図示せず）、次に正面横柱４３２を左側面枠４６１に皿頭ネジ９４１を用いて組み（図１９に図示せず）、次に左動物収容囲い部２０１の底部の４隅に備えた案内板２７３を上案内溝８４に通し、次に右動物収容囲い部２００の４隅に備えた案内板２７３を下案内溝８５に通し、最後に右側面枠４６０を正面横柱４３２と背面横柱４３３に皿頭ネジ９４１を用いて組む順とする。
【０１３７】          そして、普段の動物飼育時は正面視した右動物収容囲い部２００をペット用ケージの左端に寄せて右動物収容囲い部２００に備えた４箇所の案内板２７３が正面横柱４３２と背面横柱４３３に備えたピット８７に落ち込む状態に置き、正面視した左動物収容囲い部２０１をペット用ケージの右端に寄せて左動物収容囲い部２０１に備えた４箇所の案内板２７３が正面横柱４３２と背面横柱４３３に備えたピット８６に落ち込む状態に置く。
【０１３８】          そして、ケージの清掃時は左動物収容囲い部２０１を上方に持ち上げて４箇所の案内板２７３をピット８６から同時に外し或いは右動物収容囲い部２００を上方に持ち上げて４箇所の案内板２７３をピット８７から同時に外して、上案内溝８４或いは下案内溝８５を案内にして対向する動物収容囲い側に動かして収容動物を所望の台座上に追い寄せることができ、左動物収容囲い部２０１が右動物収容囲い部２００に当たり停止する位置或いは右動物収容囲い部２００が左動物収容囲い部２０１に当たり停止する位置まで動かして動物収容囲い部を下すと、左動物収容囲い部２０１に４箇所備えた案内板２７３が正面横柱４３２と背面横柱４３３に備えたピット８６に落ち込み或いは右動物収容囲い部２００に４箇所備えた案内板２７３が正面横柱４３２と背面横柱４３３に備えたピット８７に落ち込み、動物収容囲い部の左右方向の移動動作を制動することができる。
【０１３９】          ここで、動物収容囲い部の移動動作の制動方法は、横方向の動きを封じて上下方向の動きが自由な簡単な形態であるが、動物収容囲い部を横方向に動かすためには最初に動物収容囲い部全体を傾けずに垂直方向に持ち上げて４箇所の案内板を同時にピットから外す必要があり、ペット用ケージに収容された動物は動物収容囲い部を構成する鉛直壁状の３面の側面囲い中の一面を銜えて持ち上げる行動しかできないため、動物収容囲い部が傾いて４箇所の案内板を同時にピットから外すことができず、動物収容囲い部を横方向に動かすことはできない。
【０１４０】          図２０は前記図７を用いて説明した動物追い寄せ板に天井囲いを用いる形態のペット用ケージ１０ｃの天井囲いの回転動作を制動する一実施形態を説明するための動物収容囲い部２０ｃの斜視図である。
説明を容易にするため、正面囲い２ｃ１と左囲い２ｃ５を２点鎖線の想像線を用いた透過図で示したノットスケールの簡略図であり、天井囲い２ｃ３の半面を構成する左天井囲い２３３が図２０中の矢印に示した右回りの回転動作をしている様子を示している。
【０１４１】          図２０に示すように、天井囲い２ｃ３は右天井囲い２３２と左天井囲い２３３で構成して、正面囲い２ｃ１と右囲い２ｃ２と背面囲い２ｃ４と左囲い２ｃ５の内側に収容動物が通過できない隙間を有して収まる大きさとする。
そして、天井囲い２ｃ３は正面囲い２ｃ１と背面囲い２ｃ４に直交する回転軸を備え、該回転軸を支えにして天井囲い２ｃ３の左半面（＝右天井囲い２３２側）と右半面（＝左天井囲い２３３側）の開放端部が下方に向かって弧を描いて動く回転軸を構成するための天井囲い回転軸通し７７３と７７４と回転動作を制動するための天井囲い繋止ピン通し７７５と７７６を備える形態であり、右天井囲い２３２と左天井囲い２３３は右天井囲い２３２と左天井囲い２３３を下向きに９０°回転した時の開放端部と収容動物の着地面に収容動物が通過できない隙間間隔を保つ外形寸法とする。
【０１４２】          ここで、天井囲い２ｃ３に備える回転軸通し７７３と７７４と天井囲い繋止ピン通し７７５と７７６は長さが天井囲い２ｃ３の奥行き寸法の１／８より僅かに短い中空円筒状の金属製筒を１２本準備して用いる。
そして、準備した８本の中空円筒状の金属製筒は、天井囲い２ｃ３を平面視して、天井囲い２ｃ３の奥行き方向一杯に一直線の等間隔に分配整列して、図２０に示すように正面囲い２ｃ１側から数えて奇数番の４本を天井囲い２ｃ３を構成する左天井囲い２３３の左端側にロウ付けして回転軸通し７７４を形成し、正面囲い２ｃ１側から数えて偶数番の４本を天井囲い２ｃ３を構成する右天井囲い２３２の右端側にロウ付けして回転軸通し７７３を形成する。
【０１４３】          準備した残りの４本の中空円筒状の金属製筒は、天井囲い２ｃ３を平面視して、２本を図２０に示すように左天井囲い２３３の右端側に奥行き方向一杯に一直線に整列してロウ付けを行い繋止ピン通し７７６を形成し、他の２本を右天井囲い２３２の左端側に奥行き方向一杯に一直線に整列してロウ付けを行い天井囲い繋止ピン通し７７５を形成する。
【０１４４】          そして、左天井囲い２３３と右天井囲い２３２の奥行き位置を合わせて、図２０に示すように左天井囲い２３３の回転軸通し７７４と右天井囲い２３２の回転軸通し７７３が奥行き方向に交互に一直線に連なるように嵌め合わせて、動物収容囲い部２０ｃの奥行き寸法より僅かに長い寸法の金属製の細長い円柱状の回転軸棒（図示せず）を回転軸通し７７４と回転軸通し７７３の穴に通して天井囲い２ｃ３を形成して、該回転軸棒を正面囲い２ｃ２と背面囲い２ｃ４間に橋架するように取り付ける（図示せず）ことで、天井囲い２ｃ３の左半面（＝右天井囲い２３２）と右半面（＝左天井囲い２３３）の開放端部が弧を描いて回転可能とする。
【０１４５】          そして、正面囲い２ｃ１と背面囲い２ｃ４は、天井囲い２ｃ３を正面視して水平に広げた状態時の右天井囲い２３２に備えた繋止ピン通し７７５の丸穴位置に合わせた繋止ピン通し穴７７０と左天井囲い２３３に備えた繋止ピン通し７７６の丸穴位置に合わせた繋止ピン通し穴７７１を設ける。
また、正面囲い２ｃ１と背面囲い２ｃ４は、天井囲い２ｃ３を正面視して右天井囲い２３２の開放端或いは左天井囲い２３３の開放端を下方向に直角に回転した状態時の天井囲い繋止ピン通し７７５の丸穴と７７６の丸穴位置に合わせた繋止ピン通し穴７７２を設ける。
【０１４６】          そして、図２０に示す右天井囲い繋止ピン通し２９７と左天井囲い繋止ピン通し２９８は前記の回転軸通し７７３の６倍の長さの中空円筒状の金属製筒を２本準備して用いる。
準備した回転軸通し７７３の６倍の長さの中空円筒状の金属製筒の１本は該金属製筒の中心を右囲い２ｃ２の奥行き方向の中心位置と天井囲い２ｃ３に備えた回転軸と同じ高さに位置を合わせて右囲い２ｃ２の内側にロウ付けを行い右天井囲い繋止ピン通し２９７を形成する。
また、残りの回転軸通し７７３の６倍の長さの中空円筒状の金属製筒の１本は該金属製筒の中心を右囲い２ｃ２の奥行き方向の中心位置と天井囲い２ｃ３に備えた回転軸と同じ高さに位置を合わせて左囲い２ｃ５の内側にロウ付けを行い左天井囲い繋止ピン通し２９８を形成する。
そして、上記の回転軸通し７７３等の穴径より僅かに細い直径で動物収容囲い部２ｃ３の奥行き寸法より長い金属製の軸を持つＬ字形の図２０に示す繋止ピン７７と７８を備える。
【０１４７】天井囲い２ｃ３を以上の形態にすることにより、普段の動物飼育時は天井囲い２ｃ３を水平に広げた状態にして、右天井囲い２３２側は正面囲い２ｃ１に設けた繋止ピン通し穴７７０と天井囲い繋止ピン通し７７５の穴と右囲い２ｃ２に備えた右天井囲い繋止ピン通し２９７の穴と天井囲い繋止ピン通し７７５の穴と背面囲い２ｃ４に設けた繋止ピン通し穴７７０の順に繋止ピン７７を通し、左天井囲い２３３側は正面囲い２ｃ１に設けた繋止ピン通し穴７７１と天井囲い繋止ピン通し７７６の穴と左囲い２ｃ５に備えた左天井囲い繋止ピン通し２９８の穴と天井囲い繋止ピン通し７７６の穴と背面囲い２ｃ４に設けた繋止ピン通し穴７７１の順に繋止ピン７８を通すことで、右天井囲い２３２と左天井囲い２３３の回転動作を制動して、従来のペット用ケージと同様な動物飼育を行うことができる。
【０１４８】          そして、ケージの清掃のために左台座（図示せず）を取り外す時は繋止ピン７８を抜いて左天井囲い２３３の開放端部を下方向に９０°回転して正面囲い２ｃ１に設けた繋止ピン通し穴７７２と２箇所の天井囲い繋止ピン通し７７６と背面囲い２ｃ４に設けた繋止ピン通し穴７７２の順に繋止ピン７８を通すことで左天井囲い２３３の回転動作を制動することができ、右台座（図示せず）を取り外す時は繋止ピン７７を抜いて右天井囲い２３２開放端部を下方向に９０°回転して正面囲い２ｃ１に設けた繋止ピン通し穴７７２と２箇所の天井囲い繋止ピン通し７７５と背面囲い２ｃ４に設けた繋止ピン通し穴７７２の順に繋止ピン７７を通すことで右天井囲い２３２の回転動作を制動することができる。
【０１４９】          以上、図２０を用いて前記図７に示したペット用ケージ１０ｃの天井囲いの回転動作を制動するための一実施形態例を説明したが、前記図９に示したペット用ケージ１０ｅの天井囲い２ｅ３の回転動作を制動する用途にも僅かな変更で適用可能なことが明らかであろう。
【０１５０】          以上、本発明者によってなされた発明を実施の形態に基づき具体的に説明したが、本発明は前記実施の形態に限定されるものではなく、その要旨を逸脱しない範囲で種々変更可能であることは言うまでもない。
【符号の説明】
【０１５１】    ７  動物追い寄せ板
２１ｃ  正面囲い
２２ｃ  右囲い
２３ｃ  天井囲い
２４ｃ  背面囲い
２５ｃ  左囲い
５１０  右床
５２０  左床
６１０  右トレイ
６２０  左トレイ
【図１】
0005354307.tif 000003
【図２】
0005354307.tif 000004
【図３】
0005354307.tif 000005
【図４】
0005354307.tif 000006
【図５】
0005354307.tif 000007
【図６】
0005354307.tif 000008
【図７】
0005354307.tif 000009
【図８】
0005354307.tif 000010
【図９】
0005354307.tif 000011
【図１０】
0005354307.tif 000012
【図１１】
0005354307.tif 000013
【図１２】
0005354307.tif 000014
【図１３】
0005354307.tif 000015
【図１４】
0005354307.tif 000016
【図１５】
0005354307.tif 000017
【図１６】
0005354307.tif 000018
【図１７】
0005354307.tif 000019
【図１８】
0005354307.tif 000020
【図１９】
0005354307.tif 000021
【図２０】
0005354307.tif 000022
【図２１】
0005354307.tif 000023
【図２２】
0005354307.tif 000024
【図２３】
0005354307.tif 000025
【図２４】
0005354307.tif 000026
【図２５】
0005354307.tif 000027
【図２６】
0005354307.tif 000028